(57)【要約】【課題】本発明は、簡易な構成により薄型化及び高性能化を実現し得る製造難易度の低いズームレンズを提供できるようにする。【解決手段】物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、以下の条件式（１）乃至（３）を満足する。（１）Ｎ１ｄ＞１．５５、（２）ｖ２ｄ＜３０、（３）ｆ２１／ｆｗ＞１【選択図】図１
2011095328.tif 000002
【特許請求の範囲】
【請求項１】
物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、
以下の条件式（１）乃至（３）を満足するズームレンズ。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【請求項２】
上記ズームレンズは、上記第１群の接合レンズにおける最も物体側または最も像面側の少なくとも１面と、上記第２群の最も物体側にある正の上記第３レンズの少なくとも１面とが非球面形状であり、以下の条件式（４）を満足する
請求項１に記載のズームレンズ。
（４）ｆ２１／ｆ２＞１
但し、
ｆ２    ：第２群の焦点距離
とする。
【請求項３】
上記ズームレンズは、上記第１群の接合レンズにおける最も物体側または最も像面側の少なくとも１面が非球面形状であり、上記第２群の最も物体側にある正の上記第３レンズの両面が球面形状であり、上記第２群の接合レンズの最も物体側または最も像面側の少なくとも１面が非球面形状である
請求項１に記載のズームレンズ。
【請求項４】
上記ズームレンズは、上記第１群の接合レンズにおける最も物体側の面の曲率が、
以下の条件式（５）を満足する
請求項１乃至３に記載のズームレンズ。
（５）−１＞Ｇ１Ｒ１／ｆｗ＞−３．３
但し、
Ｇ１Ｒ１  ：第１群の接合レンズにおける最も物体側の面の曲率半径
とする。
【請求項５】
上記ズームレンズは、上記第１群の接合レンズが、負の硝子レンズでなる上記第１レンズと正の樹脂レンズからなる上記第２レンズとによる複合非球面レンズで構成されている
請求項１乃至４に記載のズームレンズ。
【請求項６】
ズームレンズと、上記ズームレンズによって形成された光学像を電気信号に変換する撮像素子とを具え、
上記ズームレンズは、
物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、
以下の条件式（１）乃至（３）を満足する撮像装置。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【請求項７】
物体側から順に、負・正・正・負又は正の４群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、第４群が撮像面からの距離が固定された単レンズでなる第７レンズから成り、
以下の条件式（１）乃至（３）を満足するズームレンズ。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【請求項８】
上記ズームレンズは、上記第１群の接合レンズにおける最も物体側または最も像面側の少なくとも１面と、上記第２群の最も物体側にある正の上記第３レンズの少なくとも１面とが非球面形状であり、以下の条件式（４）を満足する
請求項７に記載のズームレンズ。
（４）ｆ２１／ｆ２＞１
但し、
ｆ２    ：第２群の焦点距離
とする。
【請求項９】
上記ズームレンズは、上記第１群の接合レンズにおける最も物体側または最も像面側の少なくとも１面が非球面形状であり、上記第２群の最も物体側にある正の上記第３レンズの両面が球面形状であり、上記第２群の接合レンズの最も物体側または最も像面側の少なくとも１面が非球面形状である
請求項７に記載のズームレンズ。
【請求項１０】
上記ズームレンズは、上記第１群の接合レンズにおける最も物体側の面の曲率が、以下の条件式（５）を満足する
請求項７乃至９に記載のズームレンズ。
（５）−１＞Ｇ１Ｒ１／ｆｗ＞−３．３
但し、
Ｇ１Ｒ１  ：第１群の接合レンズにおける最も物体側の面の曲率半径
とする。
【請求項１１】
上記ズームレンズは、上記第４群が負のパワーを持ち、
以下の条件式（６）を満足する
請求項７乃至１０に記載のズームレンズ。
（６）ｆ１／ｆ４＜０．９
但し、
ｆ１    ：第１群の焦点距離
ｆ４    ：第４群の焦点距離
とする。
【請求項１２】
上記ズームレンズは、上記第３群を構成する第６レンズと上記第４群を構成する第７レンズが樹脂からなる
請求項７乃至１１に記載のズームレンズ。
【請求項１３】
上記ズームレンズは、上記第１群の接合レンズが、負の硝子レンズでなる上記第１レンズと正の樹脂レンズからなる上記第２レンズとによる複合非球面レンズで構成されている
請求項７乃至１２に記載のズームレンズ。
【請求項１４】
ズームレンズと、上記ズームレンズによって形成された光学像を電気信号に変換する撮像素子とを具え、
上記ズームレンズは、
物体側から順に、負・正・正・負又は正の４群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、第４群が撮像面からの距離が固定された単レンズでなる第７レンズから成り、
以下の条件式（１）乃至（３）を満足する撮像装置。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【発明の詳細な説明】
【技術分野】
【０００１】
本発明は、ズームレンズ及び撮像装置に関し、特に、デジタルビデオカメラやデジタルスチルカメラ等（以下、これらをデジタルカメラと呼ぶ。）のズーム機構を有するズームレンズ及び撮像装置に関する。
【背景技術】
【０００２】
近年、ＣＣＤ(Charge Coupled Device)センサやＣＭＯＳ(Complementary Metal Oxide Semiconductor)センサ等の撮像素子を用いたデジタルカメラが急速に普及し、一般化してきている。
【０００３】
このようにデジタルカメラが一般的になるにつれて、特にレンズ一体型のデジタルスチルカメラの低価格化、小型化及び高機能化に対するユーザニーズが強まっている。このようなユーザニーズを背景に、負・正・正の３群構成による所謂沈胴レンズで薄型化を実現した光学系が知られている（例えば特許文献１、特許文献２参照）。
【先行技術文献】
【特許文献】
【０００４】
【特許文献１】特開2005-308953公報
【特許文献２】特開2008-233161公報
【発明の概要】
【発明が解決しようとする課題】
【０００５】
ところで上述した特許文献１に記載されている光学系においては、第２群を構成しているのが負・正の単レンズから構成される接合レンズのみのため、変倍比が大きい場合の望遠端状態における軸上色収差、球面収差、及び望遠端状態での物体距離変動による像面湾曲の変化が大きくなってしまうという問題があった。
【０００６】
また上述した特許文献２に記載されている光学系においては、第２群を正の単レンズと、正・負の単レンズの接合レンズとで構成することにより、望遠端状態における球面収差や、望遠端状態での物体距離変動による像面湾曲の変化を抑制することができる。
【０００７】
しかしながら、この場合、第２群の最も物体側の正の単レンズのパワーが大きいために、２群内のレンズの偏芯感度が上がり、組立要求精度の上昇や、調芯工程の追加等により製造工程を煩雑にしてしまうという問題があった。また、各群を可動としているため、機械的なハードウェア構成が複雑化してしまうという問題があった。
【０００８】
本発明は以上の点を考慮してなされたもので、簡易な構成により薄型化及び高性能化を実現し得る製造難易度の低いズームレンズ及び撮像装置を提案しようとするものである。
【課題を解決するための手段】
【０００９】
かかる課題を解決するため本発明のズームレンズにおいては、物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【００１０】
この３群タイプのズームレンズでは、第１群を負のパワーを持つ第１レンズと正のパワーを持つ第２レンズとからなる接合レンズ１枚のみで構成することにより、以下のメリットがある。
【００１１】
第１に、３群タイプのズームレンズでは、第１群を複数枚のレンズ構成ではなく接合レンズだけの単一構成とすることにより、第１群におけるレンズ間の偏芯による性能劣化が発生しないため、組立時におけるレンズ間の調芯が不要となり、当該調芯の製造工程を省略し製造時間を短縮することができる。
【００１２】
すなわち３群タイプのズームレンズでは、第１群を複数枚のレンズ構成ではなく接合レンズだけの単一構成とすることにより、第１群を複数枚構成とするよりも性能の改善とコスト削減及び薄型化が可能となる。
【００１３】
第２に、３群タイプのズームレンズでは、第１群を複数枚のレンズ構成ではなく接合レンズだけの単一構成とすることにより、第１群におけるレンズ間隔誤差が０となるため、従来のように第１群を複数枚のレンズ構成とした場合に比べて、ピント位置のずれ量が小さくなる。
【００１４】
これにより３群タイプのズームレンズでは、第１群乃至第３群によるピント位置調整の為の機械的なハードウェア構成の余裕量を小さくすることができるので、全体を一段と小型化することができる。
【００１５】
第３に、３群タイプのズームレンズでは、第１群を複数枚のレンズ構成ではなく接合レンズだけの単一構成とすることにより、従来のように第１群を複数枚のレンズ構成とした場合の像面側に位置する第２レンズが第２群にとって邪魔にならなくなる分だけ、当該第２群の位置を一段と第１群の主点位置へ近付けることができる。
【００１６】
これにより３群タイプのズームレンズでは、第２群によって第１群の主点位置を像面へ近付ける作用を弱めることができる。すなわち３群タイプのズームレンズでは、第２群が正の第３レンズと、正の第４レンズ及び負の第５レンズの接合レンズとから構成されている場合、正の第３レンズのパワーを従来より小さくしても高性能化を実現することができ、かくして第２群におけるレンズ偏芯敏感度を抑制し、かつ薄型化及び高性能化を実現しながら、製造難易度の低下を図ることができる。
【００１７】
ここで、３群タイプのズームレンズにおける条件式（１）乃至（３）は、薄型化及び高性能化を実現しつつ、製造難易度の低下を図るために規定されたものである。
【００１８】
条件式（１）は、第１群の接合レンズを構成する負の第１レンズのｄ線に対する屈折率を規定しており、この下限値を下回る場合、第１群の負のパワーを強くして小型化を達成しようとしたとき負の第１レンズの曲率が小さくなって、光軸方向の厚みが増して薄型化に不利となると共に、球面収差、像面湾曲及び歪曲収差の補正も困難になる。
【００１９】
また条件式（１）の下限値を下回る場合、負の第１レンズの曲率が小さくなるので接合レンズを成形する際に正の第２レンズを接合し難くなり、製造難易度が上がってしまう。すなわち３群タイプのズームレンズでは、条件式（１）により薄型化を実現しつつ製造難易度の低下を図るようになされている。
【００２０】
条件式（２）は、第１群の接合レンズを構成する正の第２レンズのアッベ数を規定しており、小型化を維持しつつ、広角端状態の倍率色収差と、望遠端状態の軸上色収差とを補正するためのものである。
【００２１】
この条件式（２）の上限値を上回ると、第１群における第１レンズの負のパワーを強めた場合に発生する広角端状態の倍率色収差と、望遠端状態の軸上色収差とを補正することができず、広角端状態での撮像素子の周辺部と、望遠端状態での撮像素子の中心部の解像性能が劣化してしまう。
【００２２】
条件式（３）は、広角端状態の焦点距離と、第２群の最も物体側にある正の第３レンズの焦点距離との比を規定するものであり、これにより第２群における正の第３レンズのパワーを弱めるようになされている。
【００２３】
この条件式（３）の下限値を下回った場合、広角端状態での焦点距離に比べて第２群の最も物体側にある正の第３レンズのパワーが強くなり過ぎてしまい、第２群における正の第３レンズと、正の第４レンズ及び負の第５レンズからなる接合レンズとの偏芯敏感度が上がり、第２群の組立精度が高くなってしまう。このため３群タイプのズームレンズでは、性能低下を招いたり、或は製造難易度の上昇を招くことになる。
【００２４】
また、本発明の撮像装置においては、ズームレンズと、ズームレンズによって形成された光学像を電気信号に変換する撮像素子とを具え、ズームレンズは、物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【００２５】
この撮像装置における３群タイプのズームレンズでは、第１群を負のパワーを持つ第１レンズと正のパワーを持つ第２レンズとからなる接合レンズ１枚のみで構成することにより、以下のメリットがある。
【００２６】
第１に、撮像装置における３群タイプのズームレンズでは、第１群を複数枚のレンズ構成ではなく接合レンズだけの単一構成とすることにより、第１群におけるレンズ間の偏芯による性能劣化が発生しないため、組立時におけるレンズ間の調芯が不要となり、当該調芯の製造工程を省略し製造時間を短縮することができる。
【００２７】
すなわち撮像装置における３群タイプのズームレンズでは、第１群を複数枚のレンズ構成ではなく接合レンズだけの単一構成とすることにより、第１群を複数枚構成とするよりも性能の改善とコスト削減及び薄型化することが可能となる。
【００２８】
第２に、撮像装置における３群タイプのズームレンズでは、第１群を複数枚のレンズ構成ではなく接合レンズだけの単一構成とすることにより、第１群におけるレンズ間隔誤差が０となるため、従来のように第１群を複数枚のレンズ構成とした場合に比べて、ピント位置のずれ量が小さくなる。
【００２９】
これにより撮像装置における３群タイプのズームレンズでは、第１群乃至第３群によるピント位置調整の為の機械的なハードウェア構成の余裕量を小さくすることができるので、全体を一段と小型化することができる。
【００３０】
第３に、撮像装置における３群タイプのズームレンズでは、第１群を複数枚のレンズ構成ではなく接合レンズだけの単一構成とすることにより、従来のように第１群を複数枚のレンズ構成とした場合の像面側に位置する第２レンズが第２群にとって邪魔にならなくなる分だけ、当該第２群の位置を一段と第１群の主点位置へ近付けることができる。
【００３１】
これにより撮像装置における３群タイプのズームレンズでは、第２群によって第１群の主点位置を像面へ近付ける作用を弱めることができる。すなわち３群タイプのズームレンズでは、第２群が正の第３レンズと、正の第４レンズ及び負の第５レンズの接合レンズとから構成されている場合、正の第３レンズのパワーを従来より小さくしても高性能化を実現することができ、かくして第２群におけるレンズ偏芯敏感度を抑制し、かつ薄型化、高性能化を実現しながら製造難易度の低下を図ることができる。
【００３２】
ここで、撮像装置における３群タイプのズームレンズにおける条件式（１）乃至（３）は、薄型化、高性能化を実現しつつ製造難易度の低下を図るために規定されたものである。
【００３３】
条件式（１）は、第１群の接合レンズを構成する負の第１レンズのｄ線に対する屈折率を規定しており、この下限値を下回る場合、第１群の負のパワーを強くして小型化を達成しようとしたとき負の第１レンズの曲率が小さくなって、光軸方向の厚みが増して薄型化に不利となると共に、球面収差、像面湾曲及び歪曲収差の補正も困難になる。
【００３４】
また条件式（１）の下限値を下回る場合、負の第１レンズの曲率が小さくなるので接合レンズを成形する際に正の第２レンズを接合し難くなり、製造難易度が上昇してしまう。すなわち３群タイプのズームレンズでは、条件式（１）により薄型化を実現しつつ、製造難易度の低下を図るようになされている。
【００３５】
条件式（２）は、第１群の接合レンズを構成する正の第２レンズのアッベ数を規定しており、小型化を維持しつつ、広角端状態の倍率色収差と、望遠端状態の軸上色収差とを補正するためのものである。
【００３６】
この条件式（２）の上限値を上回ると、第１群における第１レンズの負のパワーを強めた場合に発生する広角端状態の倍率色収差と、望遠端状態の軸上色収差とを補正することができず、広角端状態での撮像素子の周辺部と、望遠端状態での撮像素子の中心部の解像性能が劣化してしまう。
【００３７】
条件式（３）は、広角端状態の焦点距離と、第２群の最も物体側にある正の第３レンズの焦点距離との比を規定するものであり、これにより第２群における正の第３レンズのパワーを弱めるようになされている。
【００３８】
この条件式（３）の下限値を下回った場合、広角端状態での焦点距離に比べて第２群の最も物体側にある正の第３レンズのパワーが強くなり過ぎてしまい、第２群における正の第３レンズと、正の第４レンズ及び負の第５レンズからなる接合レンズとの偏芯敏感度が上がり、第２群の組立精度が高くなってしまう。このため３群タイプのズームレンズでは、性能低下を招いたり、或は製造難易度の上昇を招くことになる。
【発明の効果】
【００３９】
本発明のズームレンズによれば、物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【００４０】
これにより本発明のズームレンズによれば、簡易な構成であり、全体として製造難易度が低く、薄型化及び高性能化を実現することができる。
【００４１】
また、本発明の撮像装置によれば、ズームレンズと、ズームレンズによって形成された光学像を電気信号に変換する撮像素子とを具え、ズームレンズは、物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【００４２】
これにより本発明の撮像装置によれば、ズームレンズが簡易な構成であり、全体として製造難易度が低く、薄型化及び高性能化を実現することができる。
【図面の簡単な説明】
【００４３】
【図１】第１の実施の形態に対応した第１数値実施例のズームレンズの構成を示す略線的断面図である。
【図２】第１の実施の形態に対応した第１数値実施例のレンズ群配置を示す略線的断面図である。
【図３】第１の実施の形態に対応した第１数値実施例の諸収差を示す特性曲線図である。
【図４】第１の実施の形態に対応した第２数値実施例のズームレンズの構成を示す略線的断面図である。
【図５】第１の実施の形態に対応した第２数値実施例のレンズ群配置を示す略線的断面図である。
【図６】第１の実施の形態に対応した第２数値実施例の諸収差を示す特性曲線図である。
【図７】第１の実施の形態に対応した第３数値実施例のズームレンズの構成を示す略線的断面図である。
【図８】第１の実施の形態に対応した第３数値実施例のレンズ群配置を示す略線的断面図である。
【図９】第１の実施の形態に対応した第３数値実施例の諸収差を示す特性曲線図である。
【図１０】第１の実施の形態に対応した第４数値実施例のズームレンズの構成を示す略線的断面図である。
【図１１】第１の実施の形態に対応した第４数値実施例のレンズ群配置を示す略線的断面図である。
【図１２】第１の実施の形態に対応した第４数値実施例の諸収差を示す特性曲線図である。
【図１３】第２の実施の形態に対応した第１数値実施例のズームレンズの構成を示す略線的断面図である。
【図１４】第２の実施の形態に対応した第１数値実施例のレンズ群配置を示す略線的断面図である。
【図１５】第２の実施の形態に対応した第１数値実施例の諸収差を示す特性曲線図である。
【図１６】第２の実施の形態に対応した第２数値実施例のズームレンズの構成を示す略線的断面図である。
【図１７】第２の実施の形態に対応した第２数値実施例のレンズ群配置を示す略線的断面図である。
【図１８】第２の実施の形態に対応した第２数値実施例の諸収差を示す特性曲線図である。
【図１９】第２の実施の形態に対応した第３数値実施例のズームレンズの構成を示す略線的断面図である。
【図２０】第２の実施の形態に対応した第３数値実施例のレンズ群配置を示す略線的断面図である。
【図２１】第２の実施の形態に対応した第３数値実施例の諸収差を示す特性曲線図である。
【図２２】本発明の撮像装置を搭載したデジタルスチルカメラの構成を示す略線的ブロック図である。
【発明を実施するための形態】
【００４４】
以下、発明を実施するための最良の形態（以下、実施の形態とする）について説明する。なお、説明は以下の順序で行う。
１．第１の実施の形態（３群タイプのズームレンズ）
２．第１の実施の形態に対応した数値実施例（第１数値実施例乃至第４数値実施例）
３．第２の実施の形態（４群タイプのズームレンズ）
４．第２の実施の形態に対応した数値実施例（第１数値実施例乃至第３数値実施例）
５．撮像装置及びデジタルスチルカメラ
６．他の実施の形態
【００４５】
＜１．第１の実施の形態＞
本発明の第１の実施の形態における３群タイプのズームレンズでは、物体側から順に、負・正・正の３群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【００４６】
この３群タイプのズームレンズでは、第１群を負のパワーを持つ第１レンズと正のパワーを持つ第２レンズとからなる接合レンズ１枚のみで構成することにより、以下のメリットがある。
【００４７】
第１に、３群タイプのズームレンズでは、第１群を複数枚のレンズ構成ではなく接合レンズだけの単一構成とすることにより、第１群におけるレンズ間の偏芯による性能劣化が発生しないため、組立時におけるレンズ間の調芯が不要となり、当該調芯の製造工程を省略し製造時間を短縮することができる。
【００４８】
すなわち３群タイプのズームレンズでは、第１群を複数枚のレンズ構成ではなく接合レンズだけの単一構成とすることにより、第１群を複数枚構成とするよりも性能の改善とコスト削減及び薄型化することが可能となる。
【００４９】
第２に、３群タイプのズームレンズでは、第１群を複数枚のレンズ構成ではなく接合レンズだけの単一構成とすることにより、第１群におけるレンズ間隔誤差が０となるため、従来のように第１群を複数枚のレンズ構成とした場合に比べて、ピント位置のずれ量が小さくなる。
【００５０】
これにより３群タイプのズームレンズでは、第１群乃至第３群によるピント位置調整の為の機械的なハードウェア構成の余裕量を小さくすることができるので、全体を一段と小型化することができる。
【００５１】
第３に、３群タイプのズームレンズでは、第１群を複数枚のレンズ構成ではなく接合レンズだけの単一構成とすることにより、従来のように第１群を複数枚のレンズ構成とした場合の像面側に位置する第２レンズが第２群にとって邪魔にならなくなる分だけ、当該第２群の位置を一段と第１群の主点位置へ近付けることができる。
【００５２】
これにより３群タイプのズームレンズでは、第２群によって第１群の主点位置を像面へ近付ける作用を弱めることができる。すなわち３群タイプのズームレンズでは、第２群が正の第３レンズと、正の第４レンズ及び負の第５レンズの接合レンズとから構成されている場合、正の第３レンズのパワーを従来より小さくしても高性能化を実現することができ、かくして第２群におけるレンズ偏芯敏感度を抑制し、かつ薄型化、高性能化を実現しながら、製造難易度の低下を図ることができる。
【００５３】
ここで、３群タイプのズームレンズにおける条件式（１）乃至（３）は、薄型化、高性能化を実現しつつ、製造難易度の低下を図るために規定されたものである。
【００５４】
条件式（１）は、第１群の接合レンズを構成する負の第１レンズのｄ線に対する屈折率を規定しており、この下限値を下回る場合、第１群の負のパワーを強くして小型化を達成しようとしたとき負の第１レンズの曲率が小さくなって、光軸方向の厚みが増して薄型化に不利となると共に、球面収差、像面湾曲及び歪曲収差の補正も困難になる。
【００５５】
また条件式（１）の下限値を下回る場合、負の第１レンズの曲率が小さくなるので接合レンズを成形する際に正の第２レンズを接合し難くなり、製造難易度が上昇してしまう。すなわち３群タイプのズームレンズでは、条件式（１）により薄型化を実現しつつ製造難易度低下を図るようになされている。
【００５６】
条件式（２）は、第１群の接合レンズを構成する正の第２レンズのアッベ数を規定しており、小型化を維持しつつ、広角端状態の倍率色収差と、望遠端状態の軸上色収差とを補正するためのものである。
【００５７】
この条件式（２）の上限値を上回ると、第１群における第１レンズの負のパワーを強めた場合に発生する広角端状態の倍率色収差と、望遠端状態の軸上色収差とを補正することができず、広角端状態での撮像素子の周辺部と、望遠端状態での撮像素子の中心部の解像性能が劣化してしまう。
【００５８】
なお３群タイプのズームレンズでは、条件式（２）に変えて、以下の条件式（２）´を満足する場合、倍率色収差及び軸上色収差に対する補正効果（色消し効果）を更に上げることができる。
（２）´  ｖ２ｄ＜２６．５
【００５９】
条件式（３）は、広角端状態の焦点距離と、第２群の最も物体側にある正の第３レンズの焦点距離との比を規定するものであり、これにより第２群における正の第３レンズのパワーを弱めるようになされている。
【００６０】
この条件式（３）の下限値を下回った場合、広角端状態での焦点距離に比べて第２群の最も物体側にある正の第３レンズのパワーが強くなり過ぎてしまい、第２群における正の第３レンズと、正の第４レンズ及び負の第５レンズからなる接合レンズとの偏芯敏感度が上がり、第２群の組立精度が高くなってしまう。このため３群タイプのズームレンズでは、性能低下を招いたり、或は製造難易度の上昇を招くことになる。
【００６１】
なお３群タイプのズームレンズでは、条件式（３）に変えて、以下の条件式（３）´を満足する場合、第２群内の偏芯感度が一段と低くなり、製造難易度を更に低下することが可能となる。
（３）´  ｆ２１／ｆｗ＞１．５
【００６２】
続いて、本発明の３群タイプのズームレンズでは、第１群の接合レンズにおける最も物体側または最も像面側の少なくとも１面と、第２群の最も物体側にある正の第３レンズの少なくとも１面とが非球面形状であり、以下の条件式（４）を満足するように構成されている。
（４）ｆ２１／ｆ２＞１
但し、
ｆ２    ：第２群の焦点距離
とする。
【００６３】
この３群タイプのズームレンズでは、第１群の接合レンズにおける最も物体側または最も像面側の少なくとも１面を非球面形状とすることにより、特に広角端状態における周辺部のコマ収差や非点収差・歪曲収差を抑制することができる。
【００６４】
また３群タイプのズームレンズでは、第１群の接合レンズにおける最も物体側または最も像面側の少なくとも１面を非球面形状とすることにより、第１群の負のパワーを強くしたときに生じる各種の収差を補正することができるので、光学性能の劣化を抑制することができる。
【００６５】
このとき３群タイプのズームレンズでは、第１群の負のパワーを強くしたことにより、第１群及び第２群間の移動距離を短くしても同じ変倍比を得ることができるので、その分だけ光学全長を短縮化して一段と小型化することができる。
【００６６】
さらに３群タイプのズームレンズでは、第２群の最も物体側にある正の第３レンズの少なくとも１面を非球面形状とすることにより、球面収差・非点収差・物体距離変動に伴う望遠側での像面湾曲変動を抑制することができ、かくして一段と解像性能を向上させることが出来る。
【００６７】
ここで条件式（４）は、第２群全体の焦点距離と、第２群の最も物体側にある正の第３レンズの焦点距離との比を規定しており、第２群全体のパワーに対して第３レンズのパワーを弱くするものである。
【００６８】
この条件式（４）の下限値を下回った場合、第２群の焦点距離に対して、第２群の最も物体側にある正の第３レンズの焦点距離が短くなり、すなわち第２群全体のパワーに対して第３レンズのパワーが強くなり過ぎてしまう。
【００６９】
このとき３群タイプのズームレンズでは、第２群の最も物体側にある正の第３レンズと、正の第４レンズ及び負の第５レンズからなる接合レンズとの偏芯敏感度が上がり、第２群の組立精度が高くなってしまうため、性能低下を招いたり、或は製造難易度の上昇を招くことになる。
【００７０】
因みに３群タイプのズームレンズでは、条件式（４）に変えて、以下の条件式（４）´を満足する場合、第２群内の偏芯感度が一段と低くなり、製造難易度を更に低下することが可能となる。
（４）´  ｆ２１／ｆ２＞１．３
【００７１】
次に、本発明の３群タイプのズームレンズでは、第１群の接合レンズにおける最も物体側または最も像面側の少なくとも１面が非球面形状であり、第２群の最も物体側にある正の第３レンズの両面が球面形状であり、第２群の接合レンズの最も物体側または最も像面側の少なくとも１面が非球面形状である。
【００７２】
この３群タイプのズームレンズでは、第１群の接合レンズにおける最も物体側または最も像面側の少なくとも１面を非球面形状とし、第２群の最も物体側にある正の第３レンズの両面を球面形状とし、第２群の接合レンズの最も物体側或は最も像面側の少なくとも１面を非球面形状としたことにより、広角端状態における周辺部のコマ収差や非点収差・歪曲収差及び望遠端状態における球面収差やコマ収差を抑制しつつ、製造難易度の低下を図ることができる。
【００７３】
また、本発明の３群タイプのズームレンズでは、第１群の接合レンズにおける最も物体側の面の曲率が、以下の条件式（５）を満足する。
（５）−１＞Ｇ１Ｒ１／ｆｗ＞−３．３
但し、
Ｇ１Ｒ１  ：第１群の接合レンズにおける最も物体側の面の曲率半径
とする。
【００７４】
この条件式（５）は、第１群の接合レンズにおける最も物体側の面の曲率半径を規定するものである。
【００７５】
条件式（５）の下限値を下回る場合、第１群の負のパワーを強くするためには第１群の接合レンズにおける接合面の曲率半径を小さくする必要があるので、これに伴って当該接合レンズを構成している正の第２レンズの接合面の曲率半径についても小さくする必要が生じ、接合レンズを構成している負の第１レンズ及び正の第２レンズの製造難易度が上昇してしまう。
【００７６】
一方、条件式（５）の上限値を上回る場合、第１群の接合レンズにおける物体側の面の曲率半径が小さくなり過ぎてしまい、特に歪曲収差や像面湾曲の補正が困難となってしまう。
【００７７】
さらに、本発明の３群タイプのズームレンズでは、第１群の接合レンズが、負の硝子レンズでなる第１レンズと正の樹脂レンズからなる第２レンズとによる複合非球面レンズで構成されていることを特徴としている。
【００７８】
このように３群タイプのズームレンズは、樹脂を用いた成形により第１群の接合レンズを構成しているため、硝子レンズ同士をそれぞれ接合するような場合に比べて、当該樹脂でなる第２レンズの周辺部の厚みを硝子レンズの場合よりも格段に薄くすることができる。
【００７９】
＜２．第１の実施の形態に対応した数値実施例＞
次に、本発明の３群タイプのズームレンズに対して具体的な数値を適用した数値実施例について、以下、図面及び図表を用いて説明する。ここで、各数値実施例において、非球面は次式の数１で表される。
【００８０】
ｘ＝ｃｙ２／（１＋（１−（１＋ｋ）ｃ２ｙ２）１／２）＋Ａｙ４＋Ｂｙ６＋
……（１）
【００８１】
ここで、ｙは光軸からの高さ、ｘはサグ量、ｃは曲率、ｋは円錐定数、Ａ，Ｂ，……は非球面係数である。
【００８２】
［２−１．第１数値実施例］
図１において、１は全体として第１の実施の形態に対応した第１数値実施例におけるズームレンズを示し、物体側から順に、負の第１群Ｇ１、正の第２群Ｇ２及び正の第３群Ｇ３の３群構成により形成されている。
【００８３】
また図２においては、第１数値実施例におけるズームレンズ１の広角端状態（ＷＩＤＥ）、中間焦点距離状態（ＭＩＤ）及び望遠端状態（ＴＥＬＥ）のときのレンズ群配置を示す。
【００８４】
第１群Ｇ１は、負の硝子球面レンズからなる第１レンズＬ１と、正の硝子非球面レンズからなる第２レンズＬ２とにより構成された接合レンズＬ１２であり、全体で負のパワーを有している。
【００８５】
第２群Ｇ２は、正の両面非球面レンズでなる第３レンズＬ３と、正の単レンズでなる第４レンズＬ４及び負の単レンズでなる第５レンズＬ５を接合した接合レンズＬ４５とから成り、開口絞りＳが第２群Ｇ２の物体側に配置されている。この開口絞りＳは、第２群Ｇ２の像面側に配置されていても良い。
【００８６】
第３群Ｇ３は、正の単レンズからなる第６レンズＬ６により構成されている。なおズームレンズ１は、第３群Ｇ３と像面ＩＭＧとの間にＩＲカットフィルタＣＦと、像面ＩＭＧを保護するためのシールガラスＳＧが配置されている。
【００８７】
以下の表１乃至表５に、第１の実施の形態に対応した第１数値実施例の諸元値を掲げる。ここで第１数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【００８８】
【表１】
2011095328.tif 000003
【００８９】
【表２】
2011095328.tif 000004
【００９０】
なお、第３面、第５面、第６面、第１０面、第１１面は非球面形状であり、その非球面係数は表３に示す通りである。なお、例えば０．２６０２９Ｅ−０５とは、０．２６０２９×１０−５を意味する。
【００９１】
【表３】
2011095328.tif 000005
【００９２】
続いて、第１数値実施例のズームレンズ１においてレンズ位置状態が変化する際の可変間隔を以下の表４に示す。このズームレンズ１では、第１群Ｇ１、第２群Ｇ２及び第３群Ｇ３の全てが可動であり、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【００９３】
【表４】
2011095328.tif 000006
【００９４】
そして、以下の表５に第１数値実施例のズームレンズ１における条件式対応値を示す。
【００９５】
【表５】
2011095328.tif 000007
【００９６】
続いて、図３は、第１数値実施例の無限遠合焦状態における諸収差図であり、図３（Ａ）は広角端状態（ω＝２８．５８度）、図３（Ｂ）は中間焦点距離状態（ω＝１８．１６度）、図３（Ｃ）は望遠端状態（ω＝１２．１６度）における諸収差をそれぞれ示す。
【００９７】
この図３（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【００９８】
この図３（Ａ）乃至（Ｃ）における各収差図から、第１数値実施例のズームレンズ１では薄型化されているにも拘わらず諸収差が良好に補正され、優れた結像性能を有していることが分かる。
【００９９】
［２−２．第２数値実施例］
図４において、２は全体として第１の実施の形態に対応した第２数値実施例におけるズームレンズを示し、物体側から順に、負の第１群Ｇ１、正の第２群Ｇ２及び正の第３群Ｇ３の３群により構成されている。
【０１００】
また図５においては、第２数値実施例におけるズームレンズ２の広角端状態（ＷＩＤＥ）、中間焦点距離状態（ＭＩＤ）及び望遠端状態（ＴＥＬＥ）のときのレンズ群配置を示す。
【０１０１】
第１群Ｇ１は、負の硝子非球面レンズからなる第１レンズＬ１と、正の硝子球面レンズからなる第２レンズＬ２とにより構成された接合レンズＬ１２であり、全体で負のパワーを有している。
【０１０２】
第２群Ｇ２は、正の両面球面レンズでなる第３レンズＬ３と、正の非球面レンズでなる第４レンズＬ４及び負の球面レンズでなる第５レンズＬ５を接合した接合レンズＬ４５とから成り、開口絞りＳが第２群の物体側に配置されている。この開口絞りＳは、第２群の像面側に配置されていても良い。
【０１０３】
第３群Ｇ３は、正の単レンズからなる第６レンズＬ６により構成されている。なおズームレンズ２は、第３群Ｇ３と像面ＩＭＧとの間にＩＲカットフィルタＣＦと、像面ＩＭＧを保護するためのシールガラスＳＧが配置されている。
【０１０４】
以下の表６乃至表１０に、第１の実施の形態に対応した第２数値実施例の諸元値を掲げる。ここで第２数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【０１０５】
【表６】
2011095328.tif 000008
【０１０６】
【表７】
2011095328.tif 000009
【０１０７】
なお、第３面、第７面、第１０面、第１１面は非球面形状であり、その非球面係数は表８に示す通りである。なお、例えば０．２６０２９Ｅ−０５とは、０．２６０２９×１０−５を意味する。
【０１０８】
【表８】
2011095328.tif 000010
【０１０９】
続いて、第２数値実施例のズームレンズ２においてレンズ位置状態が変化する際の可変間隔を以下の表９に示す。このズームレンズ２では、第１群Ｇ１、第２群Ｇ２及び第３群Ｇ３の全てが可動であり、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【０１１０】
【表９】
2011095328.tif 000011
【０１１１】
そして、以下の表１０に第２数値実施例のズームレンズ２における条件式対応値を示す。
【０１１２】
【表１０】
2011095328.tif 000012
【０１１３】
続いて、図６は、第２数値実施例の無限遠合焦状態における諸収差図であり、図６（Ａ）は広角端状態（ω＝２８．１９度）、図６（Ｂ）は中間焦点距離状態（ω＝１８．０１度）、図６（Ｃ）は望遠端状態（ω＝１１．９３度）における諸収差をそれぞれ示す。
【０１１４】
この図６（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【０１１５】
この図６（Ａ）乃至（Ｃ）における各収差図から、第２数値実施例のズームレンズ２では薄型化されているにも拘わらず諸収差が良好に補正され、優れた結像性能を有していることが分かる。
【０１１６】
［２−３．第３数値実施例］
図７において、３は全体として第１の実施の形態に対応した第３数値実施例におけるズームレンズを示し、物体側から順に、負の第１群Ｇ１、正の第２群Ｇ２及び正の第３群Ｇ３の３群により構成されている。
【０１１７】
また図８においては、第３数値実施例におけるズームレンズ３の広角端状態（ＷＩＤＥ）、中間焦点距離状態（ＭＩＤ）及び望遠端状態（ＴＥＬＥ）のときのレンズ群配置を示す。
【０１１８】
第１群Ｇ１は、負の硝子非球面レンズからなる第１レンズＬ１と、正の樹脂でなる第２レンズＬ２とが接合された複合非球面レンズでなる接合レンズＬ１２であり、全体で負のパワーを有している。
【０１１９】
第２群Ｇ２は、正の非球面レンズでなる第３レンズＬ３と、正の球面レンズでなる第４レンズＬ４及び負の球面レンズでなる第５レンズＬ５を接合した接合レンズＬ４５とから成り、開口絞りＳが第２群Ｇ２の物体側に配置されている。この開口絞りＳは、第２群Ｇ２の像面側に配置されていても良い。
【０１２０】
第３群Ｇ３は、正の単レンズからなる第６レンズＬ６により構成されている。なおズームレンズ３は、第３群Ｇ３と像面ＩＭＧとの間にＩＲカットフィルタＣＦと、像面ＩＭＧを保護するためのシールガラスＳＧが配置されている。
【０１２１】
以下の表１１乃至表１５に、第１の実施の形態に対応した第３数値実施例の諸元値を掲げる。ここで第３数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【０１２２】
【表１１】
2011095328.tif 000013
【０１２３】
【表１２】
2011095328.tif 000014
【０１２４】
なお、第１面、第３面、第５面、第６面、第１０面、第１１面は非球面形状であり、その非球面係数は表１３に示す通りである。なお、例えば０．２６０２９Ｅ−０５とは、０．２６０２９×１０−５を意味する。
【０１２５】
【表１３】
2011095328.tif 000015
【０１２６】
続いて、第３数値実施例のズームレンズ３においてレンズ位置状態が変化する際の可変間隔を以下の表１４に示す。このズームレンズ３では、第１群Ｇ１、第２群Ｇ２及び第３群Ｇ３の全てが可動であり、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【０１２７】
【表１４】
2011095328.tif 000016
【０１２８】
そして、以下の表１５に第３数値実施例のズームレンズ３における条件式対応値を示す。
【０１２９】
【表１５】
2011095328.tif 000017
【０１３０】
続いて、図９は、第３数値実施例の無限遠合焦状態における諸収差図であり、図９（Ａ）は広角端状態（ω＝２８．９１度）、図９（Ｂ）は中間焦点距離状態（ω＝１７．６７度）、図９（Ｃ）は望遠端状態（ω＝９．３２度）における諸収差をそれぞれ示す。
【０１３１】
この図９（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【０１３２】
この図９（Ａ）乃至（Ｃ）における各収差図から、第３数値実施例のズームレンズ３では薄型化されているにも拘わらず諸収差が良好に補正され、優れた結像性能を有していることが分かる。
【０１３３】
［２−４．第４数値実施例］
図１０において、４は全体として第１の実施の形態に対応した第４数値実施例におけるズームレンズを示し、物体側から順に、負の第１群Ｇ１、正の第２群Ｇ２及び正の第３群Ｇ３の３群により構成されている。
【０１３４】
また図１１においては、第４数値実施例におけるズームレンズ４の広角端状態（ＷＩＤＥ）、中間焦点距離状態（ＭＩＤ）及び望遠端状態（ＴＥＬＥ）のときのレンズ群配置を示す。
【０１３５】
第１群Ｇ１は、負の硝子球面レンズからなる第１レンズＬ１と、正の樹脂非球面レンズからなる第２レンズＬ２とが接合された複合非球面レンズでなる接合レンズＬ１２であり、全体で負のパワーを有している。
【０１３６】
第２群Ｇ２は、正の両面非球面レンズでなる第３レンズＬ３と、正の第４レンズＬ４及び負の第５レンズＬ５を接合した接合レンズＬ４５とから成り、開口絞りＳが第２群Ｇ２の像面側に配置されている。この開口絞りＳは、第２群Ｇ２の物体側に配置されていても良い。
【０１３７】
第３群Ｇ３は、正の単レンズからなる第６レンズＬ６により構成されている。なおズームレンズ３は、第３群Ｇ３と像面ＩＭＧとの間にＩＲカットフィルタＣＦと、像面ＩＭＧを保護するためのシールガラスＳＧが配置されている。
【０１３８】
以下の表１６乃至表２０に、第１の実施の形態に対応した第４数値実施例の諸元値を掲げる。ここで第４数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【０１３９】
【表１６】
2011095328.tif 000018
【０１４０】
【表１７】
2011095328.tif 000019
【０１４１】
なお、第３面、第４面、第５面、第１１面、第１２面は非球面形状であり、その非球面係数は表１８に示す通りである。なお、例えば０．２６０２９Ｅ−０５とは、０．２６０２９×１０−５を意味する。
【０１４２】
【表１８】
2011095328.tif 000020
【０１４３】
続いて、第４数値実施例のズームレンズ４においてレンズ位置状態が変化する際の可変間隔を以下の表１９に示す。このズームレンズ４では、第１群Ｇ１、第２群Ｇ２及び第３群Ｇ３の全てが可動であり、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【０１４４】
【表１９】
2011095328.tif 000021
【０１４５】
そして、以下の表２０に第４数値実施例のズームレンズ４における条件式対応値を示す。
【０１４６】
【表２０】
2011095328.tif 000022
【０１４７】
続いて、図１２は、第４数値実施例の無限遠合焦状態における諸収差図であり、図１２（Ａ）は広角端状態（ω＝２８．１８度）、図１２（Ｂ）は中間焦点距離状態（ω＝１７．４６度）、図１２（Ｃ）は望遠端状態（ω＝１１．８７度）における諸収差をそれぞれ示す。
【０１４８】
この図１２（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【０１４９】
この図１２（Ａ）乃至（Ｃ）における各収差図から、第４数値実施例のズームレンズ４では薄型化されているにも拘わらず諸収差が良好に補正され、優れた結像性能を有していることが分かる。
【０１５０】
このように第１の実施の形態に対応した第１数値実施例乃至第４数値実施例によれば、ズームレンズ１〜４においては、広角端状態における焦点距離Ｗｆが２８ｍｍ〜３８ｍｍ（３５ｍｍフィルム換算）で、変倍比が２〜４倍程度、広角端状態のＦＮＯが２．５〜３．５程度、望遠端状態のＦＮＯが５〜６．５程度の低コストで小型化及び高性能化した撮像系を実現し得るようになされている。
【０１５１】
＜３．第２の実施の形態＞
本発明の第２の実施の形態における４群タイプのズームレンズでは、物体側から順に、負・正・正・負の４群により構成され、第１群が物体側から負の単レンズでなる第１レンズ及び正の単レンズでなる第２レンズを接合した負の接合レンズから成り、第２群が物体側から正の単レンズでなる第３レンズと、正の単レンズでなる第４レンズ及び負の単レンズでなる第５レンズを接合した接合レンズとから成り、第３群が正の単レンズでなる第６レンズから成り、第４群が撮像面からの距離が固定された第７レンズから成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【０１５２】
この４群タイプのズームレンズでは、第１群を負のパワーを持つ第１レンズと正のパワーを持つ第２レンズとからなる接合レンズ１枚のみで構成することにより、以下のメリットがある。
【０１５３】
第１に、４群タイプのズームレンズでは、第１群を複数枚のレンズ構成ではなく接合レンズだけの単一構成とすることにより、第１群におけるレンズ間の偏芯による性能劣化が発生しないため、組立時におけるレンズ間の調芯が不要となり、当該調芯の製造工程を省略し製造時間を短縮することができる。
【０１５４】
すなわち４群タイプのズームレンズでは、第１群を複数枚のレンズ構成ではなく接合レンズだけの単一構成とすることにより、第１群を複数枚構成とするよりも性能の改善とコスト削減及び薄型化が可能となる。
【０１５５】
第２に、４群タイプのズームレンズでは、第１群を複数枚のレンズ構成ではなく接合レンズだけの単一構成とすることにより、第１群におけるレンズ間隔誤差が０となるため、従来のように第１群を複数枚のレンズ構成とした場合に比べて、ピント位置のずれ量が小さくなる。
【０１５６】
これにより４群タイプのズームレンズでは、第１群乃至第３群によるピント位置調整の為の機械的なハードウェア構成の余裕量を小さくすることができるので、全体を一段と小型化することができる。
【０１５７】
第３に、４群タイプのズームレンズでは、第１群を複数枚のレンズ構成ではなく接合レンズだけの単一構成とすることにより、従来のように第１群を複数枚のレンズ構成とした場合の像面側に位置する第２レンズが第２群にとって邪魔にならなくなる分だけ、当該第２群の位置を一段と第１群の主点位置へ近付けることができる。
【０１５８】
これにより４群タイプのズームレンズでは、第２群によって第１群の主点位置を像面へ近付ける作用を弱めることができる。すなわち４群タイプのズームレンズでは、第２群が正の第３レンズと、正の第４レンズ及び負の第５レンズの接合レンズとから構成されている場合、正の第３レンズのパワーを従来より小さくしても高性能化を実現することができ、かくして第２群におけるレンズ偏芯敏感度を抑制し、かつ薄型化、高性能化を実現しながら、製造難易度の低下を図ることができる。
【０１５９】
ここで、４群タイプのズームレンズにおける条件式（１）乃至（３）は、薄型化、高性能化を実現しつつ、製造難易度の低下を図るために規定されたものである。
【０１６０】
条件式（１）は、第１群の接合レンズを構成する負の第１レンズのｄ線に対する屈折率を規定しており、この下限値を下回る場合、第１群の負のパワーを強くして小型化を達成しようとしたとき負の第１レンズの曲率が小さくなって、光軸方向の厚みが増して薄型化に不利となると共に、球面収差、像面湾曲及び歪曲収差の補正も困難になる。
【０１６１】
また条件式（１）の下限値を下回る場合、負の第１レンズの曲率が小さくなるので接合レンズを成形する際に正の第２レンズを接合し難くなり、製造難易度が上昇してしまう。すなわち３群タイプのズームレンズでは、条件式（１）により薄型化を実現しつつ、製造難易度の低下を図るようになされている。
【０１６２】
条件式（２）は、第１群の接合レンズを構成する正の第２レンズのアッベ数を規定しており、小型化を維持しつつ、広角端状態の倍率色収差と、望遠端状態の軸上色収差とを補正するためのものである。
【０１６３】
この条件式（２）の上限値を上回ると、第１群における第１レンズの負のパワーを強めた場合に発生する広角端状態の倍率色収差と、望遠端状態の軸上色収差とを補正することができず、広角端状態での撮像素子の周辺部と、望遠端状態での撮像素子の中心部の解像性能が劣化してしまう。
【０１６４】
なお４群タイプのズームレンズでは、条件式（２）に変えて、以下の条件式（２）´を満足する場合、倍率色収差及び軸上色収差に対する補正効果（色消し効果）を更に上げることができる。
（２）´  ｖ２ｄ＜２６．５
【０１６５】
条件式（３）は、広角端状態の焦点距離と、第２群の最も物体側にある正の第３レンズの焦点距離との比を規定するものであり、これにより第２群における正の第３レンズのパワーを弱めるようになされている。
【０１６６】
この条件式（３）の下限値を下回った場合、広角端状態での焦点距離に比べて第２群の最も物体側にある正の第３レンズのパワーが強くなり過ぎてしまい、第２群における正の第３レンズと、正の第４レンズ及び負の第５レンズからなる接合レンズとの偏芯敏感度が上がり、第２群の組立精度が高くなってしまう。このため４群タイプのズームレンズでは、性能低下を招いたり、或は製造難易度の上昇を招くことになる。
【０１６７】
なお４群タイプのズームレンズでは、条件式（３）に変えて、以下の条件式（３）´を満足する場合、第２群内の偏芯感度が一段と低くなり、製造難易度を更に低下することが可能となる。
（３）´  ｆ２１／ｆｗ＞１．５
【０１６８】
続いて、本発明の４群タイプのズームレンズでは、第１群の接合レンズにおける最も物体側または最も像面側の少なくとも１面と、第２群の最も物体側にある正の第３レンズの少なくとも１面とが非球面形状であり、以下の条件式（４）を満足するように構成されている。
（４）ｆ２１／ｆ２＞１
但し、
ｆ２    ：第２群の焦点距離
とする。
【０１６９】
この４群タイプのズームレンズでは、第１群の接合レンズにおける最も物体側または最も像面側の少なくとも１面を非球面形状とすることにより、特に広角端状態における周辺部のコマ収差や非点収差・歪曲収差を抑制することができる。
【０１７０】
また４群タイプのズームレンズでは、第１群の接合レンズにおける最も物体側または最も像面側の少なくとも１面を非球面形状とすることにより、第１群の負のパワーを強くしたときに生じる各種の収差を補正することができるので、光学性能の劣化を抑制することができる。
【０１７１】
このとき４群タイプのズームレンズでは、第１群の負のパワーを強くしたことにより、第１群及び第２群間の移動距離を短くしても同じ変倍比を得ることができるので、その分だけ光学全長を短縮化して一段と小型化することができる。
【０１７２】
さらに４群タイプのズームレンズでは、第２群の最も物体側にある正の第３レンズの少なくとも１面を非球面形状とすることにより、球面収差・非点収差・物体距離変動に伴う望遠側での像面湾曲変動を抑制することができ、かくして一段と解像性能を向上させることが出来る。
【０１７３】
ここで条件式（４）は、第２群全体の焦点距離と、第２群の最も物体側にある正の第３レンズの焦点距離との比を規定しており、第２群全体のパワーに対して第３レンズのパワーを弱くするものである。
【０１７４】
この条件式（４）の下限値を下回る場合、第２群の焦点距離に対して、第２群の最も物体側にある正の第３レンズの焦点距離が短くなり、すなわち第２群全体のパワーに対して第３レンズのパワーが強くなり過ぎてしまう。
【０１７５】
このとき４群タイプのズームレンズでは、第２群の最も物体側にある正の第３レンズと、正の第４レンズ及び負の第５レンズからなる接合レンズとの偏芯敏感度が上がり、第２群の組立精度が高くなってしまうため、性能低下を招いたり、或は製造難易度の上昇を招くことになる。
【０１７６】
因みに４群タイプのズームレンズでは、条件式（４）に変えて、以下の条件式（４）´を満足する場合、第２群内の偏芯感度が一段と低くなり、製造難易度を更に低下することが可能となる。
（４）´  ｆ２１／ｆ２＞１．３
【０１７７】
なお、４群タイプのズームレンズでは、第４群を負のパワーとすることにより、望遠端状態において近距離物体に対しても光学性能を改善することが出来るようになされている。
【０１７８】
次に、本発明の４群タイプのズームレンズでは、第１群の接合レンズにおける最も物体側または最も像面側の少なくとも１面が非球面形状であり、第２群の最も物体側にある正の第３レンズの両面が球面形状であり、第２群の接合レンズの最も物体側或は最も像面側の少なくとも１面が非球面形状である。
【０１７９】
この４群タイプのズームレンズでは、第１群の接合レンズにおける最も物体側または最も像面側の少なくとも１面を非球面形状とし、第２群の最も物体側にある正の第３レンズの両面を球面形状とし、第２群の接合レンズの最も物体側或は最も像面側の少なくとも１面を非球面形状としたことにより、広角端状態における周辺部のコマ収差や非点収差・歪曲収差及び望遠端状態における球面収差やコマ収差を抑制しつつ、製造難易度の低下を図ることができる。
【０１８０】
また、本発明の４群タイプのズームレンズでは、第１群の接合レンズにおける最も物体側の面の曲率が、以下の条件式（５）を満足する。
（５）−１＞Ｇ１Ｒ１／ｆｗ＞−３．３
但し、
Ｇ１Ｒ１：第１群の接合レンズにおける最も物体側の面の曲率半径
とする。
【０１８１】
この条件式（５）は、第１群の接合レンズにおける最も物体側の面の曲率半径を規定するものである。
【０１８２】
条件式（５）の下限値を下回る場合、第１群の負のパワーを強くするためには第１群の接合レンズにおける接合面の曲率半径を小さくする必要があるので、これに伴って当該接合レンズを構成している正の第２レンズの接合面の曲率半径についても小さくする必要が生じ、接合レンズを構成している負の第１レンズ及び正の第２レンズの製造難易度が上昇してしまう。
【０１８３】
一方、条件式（５）の上限値を上回る場合、第１群の接合レンズにおける物体側の面の曲率半径が小さくなり過ぎてしまい、特に歪曲収差や像面湾曲の補正が困難となってしまう。
【０１８４】
さらに、本発明の４群タイプのズームレンズでは、第４群の第７レンズが負のパワーを持ち、以下の条件式（６）を満足する。
（６）ｆ１／ｆ４＜０．９
但し、
ｆ１    ：第１群の焦点距離
ｆ４    ：第４群の焦点距離
とする。
【０１８５】
条件式（６）は、第１群のパワーに対する第４群のパワーを規定するものであり、第４群の第７レンズが熱源となる撮像素子に最も近い場所に配置されていることを鑑み、第４群の第７レンズが樹脂レンズで構成されている場合に、曲率半径を緩やかにして熱変形による性能劣化を防止するようになされている。
【０１８６】
この条件式（６）の下限値を下回る場合、第４群の負のパワーが強くなり過ぎるため、第２群及び第３群の正のパワーを強くする必要が生じ、特に第３群の正の第６レンズにおけるコバ厚を確保するために中心厚を更に厚くしなければならず、沈胴時の薄型化に不利になってしまう。
【０１８７】
因みに４群タイプのズームレンズでは、条件式（６）に変えて、以下の条件式（６）´を満足する場合、温度湿度変化時における性能劣化が抑制され、薄型化にも一段と有利となる。
（６）´  ｆ１／ｆ４＜０．６
【０１８８】
さらに本発明の４群タイプのズームレンズでは、第３群及び第４群を樹脂レンズによって構成することにより、硝子レンズにより構成する場合に比べて低コストな撮像装置を提供することができる。
【０１８９】
ここで４群タイプのズームレンズでは、第３群及び第４群をそれぞれ正・負のパワーを持つ樹脂レンズによって構成することにより、温度湿度変化時のピント位置変動を第３群及び第４群によりキャンセルできるので、低コストでありながら高性能な撮像装置を提供することができる。
【０１９０】
さらに、本発明の４群タイプのズームレンズでは、第１群の接合レンズが、負の硝子レンズでなる第１レンズと正の樹脂レンズからなる第２レンズとによる複合非球面レンズで構成されていることを特徴としている。
【０１９１】
このように４群タイプのズームレンズは、樹脂を用いた成形により第１群の接合レンズを構成しているため、硝子レンズ同士をそれぞれ接合するような場合に比べて、当該樹脂でなる第２レンズの周辺部の厚みを硝子レンズの場合よりも格段に薄くすることができる。
【０１９２】
なお４群タイプのズームレンズでは、第４群により像面湾曲の補正効果が上がると共に、当該第４群が固定されていることにより、機械的構造を簡素化することができる。さらに４群タイプのズームレンズでは、第４群を追加したことにより、第１群乃至第３群のパワーを強くすることができる分だけ、光学全長を３群タイプよりも短縮化することができる。
【０１９３】
＜４．第２の実施の形態に対応した数値実施例＞
次に、本発明の４群タイプのズームレンズに対して具体的な数値を適用した数値実施例について、以下、図面及び図表を用いて説明する。ここで、各数値実施例において、非球面は上述した（１）式で表される。
【０１９４】
［４−１．第１数値実施例］
図１３において、１１は全体として第２の実施の形態に対応した第１数値実施例におけるズームレンズを示し、物体側から順に、負の第１群Ｇ１、正の第２群Ｇ２、正の第３群Ｇ３及び負の第４群構成により形成されている。
【０１９５】
また図１４においては、第１数値実施例におけるズームレンズ１１の広角端状態（ＷＩＤＥ）、中間焦点距離状態（ＭＩＤ）及び望遠端状態（ＴＥＬＥ）のときのレンズ群配置を示す。
【０１９６】
第１群Ｇ１は、負の硝子非球面レンズからなる第１レンズＬ１と、正の硝子球面レンズからなる第２レンズＬ２とにより構成された接合レンズＬ１２であり、全体で負のパワーを有している。
【０１９７】
第２群Ｇ２は、正の両面非球面レンズでなる第３レンズＬ３と、正の単レンズでなる第４レンズＬ４及び負の単レンズでなる第５レンズＬ５を接合した接合レンズＬ４５とから成り、開口絞りＳが第２群Ｇ２の物体側に配置されている。この開口絞りＳは、第２群Ｇ２の像面側に配置されていても良い。
【０１９８】
第３群Ｇ３は、正の単レンズからなる第６レンズＬ６により構成されており、第４群Ｇ４は像面ＩＭＧからの距離が固定された負の単レンズからなる第７レンズＬ７により構成されている。
【０１９９】
なおズームレンズ１１は、第４群Ｇ４と像面ＩＭＧとの間にＩＲカットフィルタＣＦと、像面ＩＭＧを保護するためのシールガラスＳＧが配置されている。
【０２００】
以下の表２１乃至表２５に、第２の実施の形態に対応した第２数値実施例の諸元値を掲げる。ここで第２数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【０２０１】
【表２１】
2011095328.tif 000023
【０２０２】
【表２２】
2011095328.tif 000024
【０２０３】
なお、第１面、第５面、第６面、第１０面、第１１面、第１２面、第１３面は非球面形状であり、その非球面係数は表２３に示す通りである。なお、例えば０．２６０２９Ｅ−０５とは、０．２６０２９×１０−５を意味する。
【０２０４】
【表２３】
2011095328.tif 000025
【０２０５】
続いて、第１数値実施例のズームレンズ１１においてレンズ位置状態が変化する際の可変間隔を以下の表２４に示す。このズームレンズ１１では、第１群Ｇ１、第２群Ｇ２及び第３群Ｇ３が可動であり、第４群は像面ＩＭＧからの距離が固定されている。
【０２０６】
このズームレンズ１１では、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【０２０７】
【表２４】
2011095328.tif 000026
【０２０８】
そして、以下の表２５に第１数値実施例のズームレンズ１１における条件式対応値を示す。
【０２０９】
【表２５】
2011095328.tif 000027
【０２１０】
続いて、図１５は、第１数値実施例の無限遠合焦状態における諸収差図であり、図１５（Ａ）は広角端状態（ω＝２９．３６度）、図１５（Ｂ）は中間焦点距離状態（ω＝１８．６８度）、図１５（Ｃ）は望遠端状態（ω＝１２．４０度）における諸収差をそれぞれ示す。
【０２１１】
この図１５（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【０２１２】
この図１５（Ａ）乃至（Ｃ）における各収差図から、第１数値実施例のズームレンズ１１では薄型化されているにも拘わらず諸収差が良好に補正され、優れた結像性能を有していることが分かる。
【０２１３】
［４−２．第２数値実施例］
図１６において、１２は全体として第２の実施の形態に対応した第２数値実施例におけるズームレンズを示し、物体側から順に、負の第１群Ｇ１、正の第２群Ｇ２、正の第３群Ｇ３及び負の第４群構成により形成されている。
【０２１４】
また図１７においては、第２数値実施例におけるズームレンズ１２の広角端状態（ＷＩＤＥ）、中間焦点距離状態（ＭＩＤ）及び望遠端状態（ＴＥＬＥ）のときのレンズ群配置を示す。
【０２１５】
第１群Ｇ１は、負の硝子球面レンズからなる第１レンズＬ１と、正の樹脂非球面レンズからなる第２レンズＬ２とにより構成された複合非球面レンズでなる接合レンズＬ１２であり、全体で負のパワーを有している。
【０２１６】
第２群Ｇ２は、正の両面非球面レンズでなる第３レンズＬ３と、正の単レンズでなる第４レンズＬ４及び負の単レンズでなる第５レンズＬ５を接合した接合レンズＬ４５とから成り、開口絞りＳが第２群Ｇ２の物体側に配置されている。この開口絞りＳは第２群Ｇ２の像面側に配置されていても良い。
【０２１７】
第３群Ｇ３は、正の樹脂レンズからなる第６レンズＬ６により構成されており、第４群Ｇ４は像面ＩＭＧからの距離が固定された負の樹脂レンズからなる第７レンズＬ７により構成されている。
【０２１８】
なおズームレンズ１２は、第４群Ｇ４と像面ＩＭＧとの間にＩＲカットフィルタＣＦと、像面ＩＭＧを保護するためのシールガラスＳＧが配置されている。
【０２１９】
以下の表２６乃至表３０に、第２の実施の形態に対応した第２数値実施例の諸元値を掲げる。ここで第２数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【０２２０】
【表２６】
2011095328.tif 000028
【０２２１】
【表２７】
2011095328.tif 000029
【０２２２】
なお、第３面、第５面、第６面、第１０面、第１１面、第１２面、第１３面は非球面形状であり、その非球面係数は表２８に示す通りである。なお、例えば０．２６０２９Ｅ−０５とは、０．２６０２９×１０−５を意味する。
【０２２３】
【表２８】
2011095328.tif 000030
【０２２４】
続いて、第２数値実施例のズームレンズ１２においてレンズ位置状態が変化する際の可変間隔を以下の表２９に示す。このズームレンズ１２では、第１群Ｇ１、第２群Ｇ２及び第３群Ｇ３が可動であり、第４群Ｇ４は像面ＩＭＧからの距離が固定されている。
【０２２５】
このズームレンズ１２では、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【０２２６】
【表２９】
2011095328.tif 000031
【０２２７】
そして、以下の表３０に第２数値実施例のズームレンズ１２における条件式対応値を示す。
【０２２８】
【表３０】
2011095328.tif 000032
【０２２９】
続いて、図１８は、第２数値実施例の無限遠合焦状態における諸収差図であり、図１８（Ａ）は広角端状態（ω＝２９．３６度）、図１８（Ｂ）は中間焦点距離状態（ω＝１８．６８度）、図１８（Ｃ）は望遠端状態（ω＝１２．４７度）における諸収差をそれぞれ示す。
【０２３０】
この図１８（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【０２３１】
この図１８（Ａ）乃至（Ｃ）における各収差図から、第２数値実施例のズームレンズ１２では薄型化されているにも拘わらず諸収差が良好に補正され、優れた結像性能を有していることが分かる。
【０２３２】
［４−３．第３数値実施例］
図１９において、１３は全体として第２の実施の形態に対応した第３数値実施例におけるズームレンズを示し、物体側から順に、負の第１群Ｇ１、正の第２群Ｇ２、正の第３群Ｇ３及び負の第４群構成により形成されている。
【０２３３】
また図２０においては、第３数値実施例におけるズームレンズ１３の広角端状態（ＷＩＤＥ）、中間焦点距離状態（ＭＩＤ）及び望遠端状態（ＴＥＬＥ）のときのレンズ群配置を示す。
【０２３４】
第１群Ｇ１は、負の硝子球面レンズからなる第１レンズＬ１と、正の樹脂レンズからなる第２レンズＬ２とにより構成された接合レンズＬ１２であり、全体で負のパワーを有している。
【０２３５】
第２群Ｇ２は、正の非球面レンズでなる第３レンズＬ３と、正の単レンズでなる第４レンズＬ４及び負の単レンズでなる第５レンズＬ５を接合した接合レンズＬ４５とから成り、開口絞りＳが第２群Ｇ２の物体側に配置されている。この開口絞りＳは第２群Ｇ２の像面側に配置されていても良い。
【０２３６】
第３群Ｇ３は、正の樹脂レンズからなる第６レンズＬ６により構成されており、第４群Ｇ４は像面ＩＭＧからの距離が固定された負の樹脂レンズからなる第７レンズＬ７により構成されている。
【０２３７】
なおズームレンズ１３は、第４群Ｇ４と像面ＩＭＧとの間にＩＲカットフィルタＣＦと、像面ＩＭＧを保護するためのシールガラスＳＧが配置されている。
【０２３８】
以下の表３１乃至表３５に、第２の実施の形態に対応した第３数値実施例の諸元値を掲げる。ここで第３数値実施例における諸元表中のｆは焦点距離、ＦＮＯはＦナンバー、ωは半画角を表し、屈折率はｄ線（波長５８７．６ｎｍ）に対する値である。なお、表１中で曲率半径∞とは平面であることを意味する。
【０２３９】
【表３１】
2011095328.tif 000033
【０２４０】
【表３２】
2011095328.tif 000034
【０２４１】
なお、第５面、第６面、第１０面、第１１面、第１２面、第１３面は非球面形状であり、その非球面係数は表３３に示す通りである。なお、例えば０．２６０２９Ｅ−０５とは、０．２６０２９×１０−５を意味する。
【０２４２】
【表３３】
2011095328.tif 000035
【０２４３】
続いて、第３数値実施例のズームレンズ１３においてレンズ位置状態が変化する際の可変間隔を以下の表３４に示す。このズームレンズ１３では、第１群Ｇ１、第２群Ｇ２及び第３群Ｇ３が可動であり、第４群は像面ＩＭＧからの距離が固定されている。
【０２４４】
このズームレンズ１３では、主に第１群Ｇ１と第２群Ｇ２との間隔を変化させることにより変倍を実現し、第３群Ｇ３を可動して各画角における焦点位置変動を吸収させることにより小型化を維持しながら高性能を確保し得るようになされている。
【０２４５】
【表３４】
2011095328.tif 000036
【０２４６】
そして、以下の表３５に第３数値実施例のズームレンズ１３における条件式対応値を示す。
【０２４７】
【表３５】
2011095328.tif 000037
【０２４８】
続いて、図２１は、第３数値実施例の無限遠合焦状態における諸収差図であり、図２１（Ａ）は広角端状態（ω＝２８．４度）、図２１（Ｂ）は中間焦点距離状態（ω＝１８．０１度）、図２１（Ｃ）は望遠端状態（ω＝１１．９３度）における諸収差をそれぞれ示す。
【０２４９】
この図２１（Ａ）乃至（Ｃ）において、球面収差は波長６５６．３ｎｍのＣ線、波長５８７．６ｎｍのＤ線、波長４３５．８ｎｍのＧ線に対応し、像面湾曲図中の実線はサジタル像面、破線はメリディオナル像面を示し、歪曲収差は波長５８７．６ｎｍのＤ線に対応するものである。
【０２５０】
この図２１（Ａ）乃至（Ｃ）における各収差図から、第３数値実施例のズームレンズ１３では薄型化されているにも拘わらず諸収差が良好に補正され、優れた結像性能を有していることが分かる。
【０２５１】
＜５．撮像装置及びデジタルスチルカメラ＞
［５−１．撮像装置の構成］
次に、本発明の撮像装置について説明する。この撮像装置は、第１の実施の形態における数値実施例で示したズームレンズ１（又は２、３、４）や、第２の実施の形態における数値実施例で示したズームレンズ１１（又は１２、１３）によって形成された光学像を電気的信号に変換するための例えばＣＣＤ(Charge Coupled Device)センサやＣＭＯＳ(Complementary Metal Oxide Semiconductor)センサ等でなる撮像素子とを具えている。
【０２５２】
このズームレンズ１（又は２、３、４）は、物体側から順に、負・正・正の３群により構成され、第１群Ｇ１が物体側から負の単レンズでなる第１レンズＬ１及び正の単レンズでなる第２レンズＬ２を接合した負の接合レンズＬ１２から成り、第２群Ｇ２が物体側から正の単レンズでなる第３レンズＬ３と、正の単レンズでなる第４レンズＬ４及び負の単レンズでなる第５レンズＬ５を接合した接合レンズＬ４５とから成り、第３群が正の単レンズでなる第６レンズＬ６から成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【０２５３】
この３群タイプのズームレンズ１（又は２、３、４）では、第１群Ｇ１を負のパワーを持つ第１レンズＬ１と正のパワーを持つ第２レンズＬ２とからなる接合レンズＬ１２の１枚のみで構成することにより、以下のメリットがある。
【０２５４】
第１に、３群タイプのズームレンズ１（又は２、３、４）では、第１群Ｇ１を複数枚のレンズ構成ではなく接合レンズＬ１２だけの単一構成とすることにより、第１群Ｇ１におけるレンズ間の偏芯による性能劣化が発生しないため、組立時におけるレンズ間の調芯が不要となり、当該調芯の製造工程を省略し製造時間を短縮することができる。
【０２５５】
すなわち３群タイプのズームレンズ１（又は２、３、４）では、第１群Ｇ１を複数枚のレンズ構成ではなく接合レンズＬ１２だけの単一構成とすることにより、第１群Ｇ１を複数枚構成とするよりも性能の改善とコスト削減及び薄型化することが可能となる。
【０２５６】
第２に、３群タイプのズームレンズ１（又は２、３、４）では、第１群Ｇ１を複数枚のレンズ構成ではなく接合レンズＬ１２だけの単一構成とすることにより、第１群Ｇ１におけるレンズ間隔誤差が０となるため、従来のように第１群Ｇ１を複数枚のレンズ構成とした場合に比べて、ピント位置のずれ量が小さくなる。
【０２５７】
これにより３群タイプのズームレンズ１（又は２、３、４）では、第１群Ｇ１乃至第３群Ｇ３によるピント位置調整の為の機械的なハードウェア構成の余裕量を小さくすることができるので、全体を一段と小型化することができる。
【０２５８】
第３に、３群タイプのズームレンズ１（又は２、３、４）では、第１群Ｇ１を複数枚のレンズ構成ではなく接合レンズＬ１２だけの単一構成とすることにより、従来のように第１群Ｇ１を複数枚のレンズ構成とした場合の像面側に位置する第２レンズＬ２が第２群Ｇ２にとって邪魔にならなくなる分だけ、当該第２群Ｇ２の位置を一段と第１群Ｇ１の主点位置へ近付けることができる。
【０２５９】
これにより３群タイプのズームレンズ１（又は２、３、４）では、第２群Ｇ２によって第１群Ｇ１の主点位置を像面ＩＭＧへ近付ける作用を弱めることができる。すなわち３群タイプのズームレンズ１（又は２、３、４）では、第２群Ｇ２が正の第３レンズＬ３と、正の第４レンズＬ４及び負の第５レンズＬ５の接合レンズＬ４５とから構成されている場合、正の第３レンズＬ３のパワーを従来より小さくしても高性能化を実現することができ、かくして第２群Ｇ２におけるレンズ偏芯敏感度を抑制し、かつ薄型化、高性能化を実現しながら、製造難易度の低下を図ることができる。
【０２６０】
ここで、３群タイプのズームレンズ１（又は２、３、４）における条件式（１）乃至（３）は、薄型化、高性能化を実現しつつ、製造難易度の低下を図るために規定されたものである。
【０２６１】
条件式（１）は、第１群Ｇ１の接合レンズＬ１２を構成する負の第１レンズＬ１のｄ線に対する屈折率を規定しており、この下限値を下回る場合、第１群Ｇ１の負のパワーを強くして小型化を達成しようとしたとき負の第１レンズＬ１の曲率が小さくなって、光軸方向の厚みが増して薄型化に不利となると共に、球面収差、像面湾曲及び歪曲収差の補正も困難になる。
【０２６２】
また条件式（１）の下限値を下回る場合、負の第１レンズＬ１の曲率が小さくなるので接合レンズＬ１２を成形する際に正の第２レンズＬ２を接合し難くなり、製造難易度が上昇してしまう。すなわち３群タイプのズームレンズ１（又は２、３、４）では、条件式（１）により薄型化を実現しつつ、製造難易度の低下を図るようになされている。
【０２６３】
条件式（２）は、第１群Ｇ１の接合レンズＬ１２を構成する正の第２レンズＬ２のアッベ数を規定しており、小型化を維持しつつ、広角端状態の倍率色収差と、望遠端状態の軸上色収差とを補正するためのものである。
【０２６４】
この条件式（２）の上限値を上回ると、第１群Ｇ１における第１レンズＬ１の負のパワーを強めた場合に発生する広角端状態の倍率色収差と、望遠端状態の軸上色収差とを補正することができず、広角端状態での撮像素子の周辺部と、望遠端状態での撮像素子の中心部の解像性能が劣化してしまう。
【０２６５】
なお３群タイプのズームレンズでは、条件式（２）に変えて、以下の条件式（２）´を満足する場合、倍率色収差及び軸上色収差に対する補正効果（色消し効果）を更に上げることができる。
（２）´  ｖ２ｄ＜２６．５
【０２６６】
条件式（３）は、広角端状態の焦点距離と、第２群Ｇ２の最も物体側にある正の第３レンズＬ３の焦点距離との比を規定するものであり、これにより第２群Ｇ２における正の第３レンズＬ３のパワーを弱めるようになされている。
【０２６７】
この条件式（３）の下限値を下回った場合、広角端状態での焦点距離ｆｗに比べて第２群Ｇ２の最も物体側にある正の第３レンズＬ３のパワーが強くなり過ぎてしまい、第２群Ｇ２における正の第３レンズＬ３と、正の第４レンズＬ４及び負の第５レンズＬ５からなる接合レンズＬ４５との偏芯敏感度が上がり、第２群Ｇ２の組立精度が高くなってしまう。このため３群タイプのズームレンズ１（又は２、３、４）では、性能低下を招いたり、或は製造難易度の上昇を招くことになる。
【０２６８】
なお３群タイプのズームレンズでは、条件式（３）に変えて、以下の条件式（３）´を満足する場合、第２群Ｇ２内の偏芯感度が一段と低くなり、製造難易度を更に低下することが可能となる。
（３）´  ｆ２１／ｆｗ＞１．５
【０２６９】
続いて、３群タイプのズームレンズ１（又は２、３、４）では、第１群Ｇ１の接合レンズＬ１２における最も物体側または最も像面側の少なくとも１面と、第２群Ｇ２の最も物体側にある正の第３レンズＬ３の少なくとも１面とが非球面形状であり、以下の条件式（４）を満足するように構成されている。
（４）ｆ２１／ｆ２＞１
但し、
ｆ２    ：第２群の焦点距離
とする。
【０２７０】
この３群タイプのズームレンズでは、第１群Ｇ１の接合レンズＬ１２における最も物体側または最も像面側の少なくとも１面を非球面形状とすることにより、特に広角端状態における周辺部のコマ収差や非点収差・歪曲収差を抑制することができる。
【０２７１】
また３群タイプのズームレンズ１（又は２、３、４）では、第１群Ｇ１の接合レンズＬ１２における最も物体側または最も像面側の少なくとも１面を非球面形状とすることにより、第１群の負のパワーを強くしたときに生じる各種の収差を補正することができるので、光学性能の劣化を抑制することができる。
【０２７２】
このとき３群タイプのズームレンズでは、第１群Ｇ１の負のパワーを強くしたことにより、第１群Ｇ１及び第２群Ｇ２間の移動距離を短くしても同じ変倍比を得ることができるので、その分だけ光学全長を短縮化して一段と小型化することができる。
【０２７３】
さらに３群タイプのズームレンズ１（又は２、３、４）では、第２群Ｇ２の最も物体側にある正の第３レンズＬ３の少なくとも１面を非球面形状とすることにより、球面収差・非点収差・物体距離変動に伴う望遠側での像面湾曲変動を抑制することができ、かくして一段と解像性能を向上させることが出来る。
【０２７４】
ここで条件式（４）は、第２群Ｇ２全体の焦点距離ｆ２と、第２群Ｇ２の最も物体側にある正の第３レンズＬ３の焦点距離ｆ２１との比を規定しており、第２群Ｇ２全体のパワーに対して第３レンズＬ３のパワーを弱くするものである。
【０２７５】
この条件式（４）の下限値を下回った場合、第２群Ｇ２の焦点距離ｆ２に対して、第２群Ｇ２の最も物体側にある正の第３レンズＬ３の焦点距離ｆ２１が短くなり、すなわち第２群Ｇ２全体のパワーに対して第３レンズＬ３のパワーが強くなり過ぎてしまう。
【０２７６】
因みに３群タイプのズームレンズでは、条件式（４）に変えて、以下の条件式（４）´を満足する場合、第２群内の偏芯感度が一段と低くなり、製造難易度を更に低下することが可能となる。
（４）´  ｆ２１／ｆ２＞１．３
【０２７７】
このとき３群タイプのズームレンズ１（又は２、３、４）では、第２群Ｇ２の最も物体側にある正の第３レンズＬ３と、正の第４レンズＬ４及び負の第５レンズＬ５からなる接合レンズＬ４５との偏芯敏感度が上がり、第２群Ｇ２の組立精度が高くなってしまうため、性能低下を招いたり、或は製造難易度の上昇を招くことになる。
【０２７８】
次に、３群タイプのズームレンズ１（又は２、３、４）では、第１群Ｇ１の接合レンズにおける最も物体側または最も像面側の少なくとも１面が非球面形状であり、第２群Ｇ２の最も物体側にある正の第３レンズＬ３の両面が球面形状であり、第２群Ｇ２の接合レンズＬ４５の最も物体側或は最も像面側の少なくとも１面が非球面形状である。
【０２７９】
この３群タイプのズームレンズ１（又は２、３、４）では、第１群Ｇ１の接合レンズＬ１２における最も物体側または最も像面側の少なくとも１面を非球面形状とし、第２群Ｇ２の最も物体側にある正の第３レンズＬ３の両面を球面形状とし、第２群Ｇ２の接合レンズＬ４５の最も物体側或は最も像面側の少なくとも１面を非球面形状としたことにより、広角端状態における周辺部のコマ収差や非点収差・歪曲収差及び望遠端状態における球面収差やコマ収差を抑制しつつ、製造難易度の低下を図ることができる。
【０２８０】
また、本発明の３群タイプのズームレンズ１（又は２、３、４）では、第１群Ｇ１の接合レンズＬ１２における最も物体側の面の曲率が、以下の条件式（５）を満足する。
（５）−１＞Ｇ１Ｒ１／ｆｗ＞−３．３
但し、
Ｇ１Ｒ１  ：第１群の接合レンズにおける最も物体側の面の曲率半径
とする。
【０２８１】
この条件式（５）は、第１群Ｇ１の接合レンズＬ１２における最も物体側の面の曲率半径を規定するものである。
【０２８２】
条件式（５）の下限値を下回る場合、第１群Ｇ１の負のパワーを強くするためには第１群Ｇ１の接合レンズＬ１２における接合面の曲率半径を小さくする必要があるので、これに伴って当該接合レンズＬ１２を構成している正の第２レンズＬ２の接合面の曲率半径についても小さくする必要が生じ、接合レンズＬ１２を構成している負の第１レンズＬ１及び正の第２レンズＬ２の製造難易度が上昇してしまう。
【０２８３】
一方、条件式（５）の上限値を上回る場合、第１群Ｇ１の接合レンズＬ１２における物体側の面の曲率半径が小さくなり過ぎてしまい、特に歪曲収差や像面湾曲の補正が困難となってしまう。
【０２８４】
さらに、３群タイプのズームレンズ１（又は２、３、４）では、第１群Ｇ１の接合レンズＬ１２が、負の硝子レンズでなる第１レンズＬ１と正の樹脂レンズからなる第２レンズＬ２とによる複合非球面レンズで構成されていることを特徴としている。
【０２８５】
このように３群タイプのズームレンズ１（又は２、３、４）は、第１群Ｇ１の接合レンズＬ１２を構成している第２レンズＬ２に対して、硝子レンズではなく樹脂レンズを用いるようにしたことにより、当該樹脂レンズでなる第２レンズＬ２の周辺部の厚みを硝子レンズの場合よりも格段に薄くすることができる。
【０２８６】
また、ズームレンズ１１（又は１２、１３）は、物体側から順に、負・正・正・負の４群により構成され、第１群Ｇ１が物体側から負の単レンズでなる第１レンズＬ１及び正の単レンズでなる第２レンズＬ２を接合した負の接合レンズＬ１２から成り、第２群Ｇ２が物体側から正の単レンズでなる第３レンズＬ３と、正の単レンズでなる第４レンズＬ４及び負の単レンズでなる第５レンズＬ５を接合した接合レンズＬ４５とから成り、第３群Ｇ３が正の単レンズでなる第６レンズＬ６から成り、第４群Ｇ４が撮像面からの距離が固定された第７レンズＬ７から成り、以下の条件式（１）乃至（３）を満足するように構成されている。
（１）Ｎ１ｄ＞１．５５
（２）ｖ２ｄ＜３０
（３）ｆ２１／ｆｗ＞１
但し、
Ｎ１ｄ  ：第１群の接合レンズを構成する負の第１レンズのｄ線に対する屈折率
ｖ２ｄ  ：第１群の接合レンズを構成する正の第２レンズのアッベ数
ｆｗ    ：広角端状態の焦点距離
ｆ２１  ：第２群内の最も物体側にある正の第３レンズの焦点距離
とする。
【０２８７】
この４群タイプのズームレンズ１１（又は１２、１３）では、第１群Ｇ１を負のパワーを持つ第１レンズＬ１と正のパワーを持つ第２レンズＬ２とからなる接合レンズＬ１２の１枚のみで構成することにより、以下のメリットがある。
【０２８８】
第１に、４群タイプのズームレンズ１１（又は１２、１３）では、第１群Ｇ１を複数枚のレンズ構成ではなく接合レンズＬ１２だけの単一構成とすることにより、第１群Ｇ１におけるレンズ間の偏芯による性能劣化が発生しないため、組立時におけるレンズ間の調芯が不要となり、当該調芯の製造工程を省略し製造時間を短縮することができる。
【０２８９】
すなわち４群タイプのズームレンズ１１（又は１２、１３）では、第１群Ｇ１を複数枚のレンズ構成ではなく接合レンズＬ１２だけの単一構成とすることにより、第１群Ｇ１を複数枚構成とするよりも性能の改善とコスト削減及び薄型化することが可能となる。
【０２９０】
第２に、４群タイプのズームレンズ１１（又は１２、１３）では、第１群Ｇ１を複数枚のレンズ構成ではなく接合レンズＬ１２だけの単一構成とすることにより、第１群Ｇ１におけるレンズ間隔誤差が０となるため、従来のように第１群Ｇ１を複数枚のレンズ構成とした場合に比べて、ピント位置のずれ量が小さくなる。
【０２９１】
これにより４群タイプのズームレンズ１１（又は１２、１３）では、第１群Ｇ１乃至第３群Ｇ３によるピント位置調整の為の機械的なハードウェア構成の余裕量を小さくすることができるので、全体を一段と小型化することができる。
【０２９２】
第３に、４群タイプのズームレンズ１１（又は１２、１３）では、第１群Ｇ１を複数枚のレンズ構成ではなく接合レンズＬ１２だけの単一構成とすることにより、従来のように第１群Ｇ１を複数枚のレンズ構成とした場合の像面側に位置する第２レンズＬ２が第２群Ｇ２にとって邪魔にならなくなる分だけ、当該第２群Ｇ２の位置を一段と第１群Ｇ１の主点位置へ近付けることができる。
【０２９３】
これにより４群タイプのズームレンズ１１（又は１２、１３）では、第２群Ｇ２によって第１群Ｇ１の主点位置を像面へ近付ける作用を弱めることができる。すなわち４群タイプのズームレンズ１１（又は１２、１３）では、第２群Ｇ２が正の第３レンズＬ３と、正の第４レンズＬ４及び負の第５レンズＬ５の接合レンズＬ４５とから構成されている場合、正の第３レンズＬ３のパワーを従来より小さくしても高性能化を実現することができ、かくして第２群Ｇ２におけるレンズ偏芯敏感度を抑制しつつ、薄型化、高性能化を実現しつつ、製造難易度の低下を図ることができる。
【０２９４】
ここで、４群タイプのズームレンズ１１（又は１２、１３）における条件式（１）乃至（３）は、薄型化、高性能化を実現しつつ製造難易度の低下を図るために規定されたものである。
【０２９５】
条件式（１）は、第１群Ｇ１の接合レンズＬ１２を構成する負の第１レンズＬ１のｄ線に対する屈折率を規定しており、この下限値を下回る場合、第１群Ｇ１の負のパワーを強くして小型化を達成しようとしたとき負の第１レンズＬ１の曲率が小さくなって、光軸方向の厚みが増して薄型化に不利となると共に、球面収差、像面湾曲及び歪曲収差の補正も困難になる。
【０２９６】
また条件式（１）の下限値を下回る場合、負の第１レンズＬ１の曲率が小さくなるので接合レンズＬ１２を成形する際に正の第２レンズＬ２を接合し難くなり、製造難易度が上昇してしまう。すなわち４群タイプのズームレンズ１１（又は１２、１３、１４）では、条件式（１）により薄型化を実現しつつ、製造難易度の低下を図るようになされている。
【０２９７】
条件式（２）は、第１群Ｇ１の接合レンズＬ１２を構成する正の第２レンズＬ２のアッベ数を規定しており、小型化を維持しつつ、広角端状態の倍率色収差と、望遠端状態の軸上色収差とを補正するためのものである。
【０２９８】
この条件式（２）の上限値を上回ると、第１群Ｇ１における第１レンズＬ１の負のパワーを強めた場合に発生する広角端状態の倍率色収差と、望遠端状態の軸上色収差とを補正することができず、広角端状態での撮像素子の周辺部と、望遠端状態での撮像素子の中心部の解像性能が劣化してしまう。
【０２９９】
なお４群タイプのズームレンズ１１（又は１２、１３）では、条件式（２）に変えて、以下の条件式（２）´を満足する場合、倍率色収差及び軸上色収差に対する補正効果（色消し効果）を更に上げることができる。
（２）´  ｖ２ｄ＜２６．５
【０３００】
条件式（３）は、広角端状態の焦点距離ｆｗと、第２群Ｇ２の最も物体側にある正の第３レンズＬ３の焦点距離ｆ２１との比を規定するものであり、これにより第２群Ｇ２における正の第３レンズＬ３のパワーを弱めるようになされている。
【０３０１】
この条件式（３）の下限値を下回った場合、広角端状態での焦点距離ｆｗに比べて第２群Ｇ２の最も物体側にある正の第３レンズＬ３のパワーが強くなり過ぎてしまい、第２群Ｇ２における正の第３レンズＬ３と、正の第４レンズＬ４及び負の第５レンズＬ５からなる接合レンズＬ４５との偏芯敏感度が上がり、第２群Ｇ２の組立精度が高くなってしまう。このため４群タイプのズームレンズ１１（又は１２、１３、１４）では、性能低下を招いたり、或は製造難易度の上昇を招くことになる。
【０３０２】
なお４群タイプのズームレンズ１１（又は１２、１３）では、条件式（３）に変えて、以下の条件式（３）´を満足する場合、第２群Ｇ２内の偏芯感度が一段と低くなり、製造難易度を更に低下することが可能となる。
（３）´  ｆ２１／ｆｗ＞１．５
【０３０３】
続いて、４群タイプのズームレンズ１１（又は１２、１３）では、第１群Ｇ１の接合レンズＬ１２における最も物体側または最も像面側の少なくとも１面と、第２群Ｇ２の最も物体側にある正の第３レンズＬ３の少なくとも１面とが非球面形状であり、以下の条件式（４）を満足するように構成されている。
（４）ｆ２１／ｆ２＞１
但し、
ｆ２    ：第２群の焦点距離
とする。
【０３０４】
この４群タイプのズームレンズ１１（又は１２、１３）では、第１群Ｇ１の接合レンズＬ１２における最も物体側または最も像面側の少なくとも１面を非球面形状とすることにより、特に広角端状態における周辺部のコマ収差や非点収差・歪曲収差を抑制することができる。
【０３０５】
また４群タイプのズームレンズ１１（又は１２、１３）では、第１群Ｇ１の接合レンズＬ１２における最も物体側または最も像面側の少なくとも１面を非球面形状とすることにより、第１群Ｇ１の負のパワーを強くしたときに生じる各種の収差を補正することができるので、光学性能の劣化を抑制することができる。
【０３０６】
このとき４群タイプのズームレンズ１１（又は１２、１３）では、第１群Ｇ１の負のパワーを強くしたことにより、第１群Ｇ１及び第２群Ｇ２間の移動距離を短くしても同じ変倍比を得ることができるので、その分だけ光学全長を短縮化して一段と小型化することができる。
【０３０７】
さらに４群タイプのズームレンズ１１（又は１２、１３）では、第２群Ｇ２の最も物体側にある正の第３レンズＬ３の少なくとも１面を非球面形状とすることにより、球面収差・非点収差・物体距離変動に伴う望遠端側での像面湾曲変動を抑制することができ、かくして一段と解像性能を向上させることが出来る。
【０３０８】
ここで条件式（４）は、第２群Ｇ２全体の焦点距離ｆ２と、第２群Ｇ２の最も物体側にある正の第３レンズＬ３の焦点距離ｆ２１との比を規定しており、第２群Ｇ２全体のパワーに対して第３レンズＬ３のパワーを弱くするものである。
【０３０９】
この条件式（４）の下限値を下回った場合、第２群Ｇ２の焦点距離ｆ２に対して、第２群Ｇ２の最も物体側にある正の第３レンズＬ３の焦点距離ｆ２１が短くなり、すなわち第２群Ｇ２全体のパワーに対して第３レンズＬ３のパワーが強くなり過ぎてしまう。
【０３１０】
このとき４群タイプのズームレンズ１１（又は１２、１３）では、第２群Ｇ２の最も物体側にある正の第３レンズＬ３と、正の第４レンズＬ４及び負の第５レンズＬ５からなる接合レンズＬ４５との偏芯敏感度が上がり、第２群Ｇ２の組立精度が高くなってしまうため、性能低下を招いたり、或は製造難易度の上昇を招くことになる。
【０３１１】
因みに４群タイプのズームレンズ１１（又は１２、１３）では、条件式（４）に変えて、以下の条件式（４）´を満足する場合、第２群Ｇ２内の偏芯感度が一段と低くなり、製造難易度を更に低下することが可能となる。
（４）´  ｆ２１／ｆ２＞１．３
【０３１２】
なお、４群タイプのズームレンズ１１（又は１２、１３）では、第４群Ｇ４を負のパワーとすることにより、望遠端状態において近距離物体に対しても光学性能を改善することが出来るようになされている。
【０３１３】
次に、本発明の４群タイプのズームレンズ１１（又は１２、１３）では、第１群Ｇ１の接合レンズＬ１２における最も物体側または最も像面側の少なくとも１面が非球面形状であり、第２群Ｇ２の最も物体側にある正の第３レンズＬ３の両面が球面形状であり、第２群Ｇ２の接合レンズＬ４５の最も物体側或は最も像面側の少なくとも１面が非球面形状である。
【０３１４】
この４群タイプのズームレンズ１１（又は１２、１３）では、第１群Ｇ１の接合レンズＬ１２における最も物体側または最も像面側の少なくとも１面を非球面形状とし、第２群Ｇ２の最も物体側にある正の第３レンズＬ３の両面を球面形状とし、第２群Ｇ２の接合レンズＬ４５の最も物体側或は最も像面側の少なくとも１面を非球面形状としたことにより、広角端状態における周辺部のコマ収差や非点収差・歪曲収差及び望遠端状態における球面収差やコマ収差を抑制しつつ、製造難易度の低下を図ることができる。
【０３１５】
また、４群タイプのズームレンズ１１（又は１２、１３）では、第１群Ｇ１の接合レンズＬ１２における最も物体側の面の曲率が、以下の条件式（５）を満足する。
（５）−１＞Ｇ１Ｒ１／ｆｗ＞−３．３
但し、
Ｇ１Ｒ１：第１群の接合レンズにおける最も物体側の面の曲率半径
とする。
【０３１６】
この条件式（５）は、第１群Ｇ１の接合レンズＬ１２における最も物体側の面の曲率半径を規定するものである。
【０３１７】
条件式（５）の下限値を下回る場合、第１群Ｇ１の負のパワーを強くするためには第１群Ｇ１の接合レンズＬ１２における接合面の曲率半径を小さくする必要があるので、これに伴って当該接合レンズＬ１２を構成している正の第２レンズＬ２の接合面の曲率半径についても小さくする必要が生じ、接合レンズＬ１２を構成している負の第１レンズＬ１及び正の第２レンズＬ２の製造難易度が上昇してしまう。
【０３１８】
一方、条件式（５）の上限値を上回る場合、第１群Ｇ１の接合レンズＬ１２における物体側の面の曲率半径が小さくなり過ぎてしまい、特に歪曲収差や像面湾曲の補正が困難となってしまう。
【０３１９】
さらに、４群タイプのズームレンズ１１（又は１２、１３）では、第４群Ｇ４の第７レンズＬ７が負のパワーを持ち、以下の条件式（６）を満足する。
（６）ｆ１／ｆ４＜０．９
但し、
ｆ１    ：第１群の焦点距離
ｆ４    ：第４群の焦点距離
とする。
【０３２０】
条件式（６）は、第１群Ｇ１のパワーに対する第４群Ｇ４のパワーを規定するものであり、第４群Ｇ４の第７レンズＬ７が熱源となる撮像素子に最も近い場所に配置されていることを鑑み、第４群Ｇ４の第７レンズＬ７が樹脂レンズで構成されている場合に、曲率半径を緩やかにして熱変形による性能劣化を防止するようになされている。
【０３２１】
この条件式（６）の下限値を下回る場合、第４群Ｇ４の負のパワーが強くなり過ぎるため、第２群Ｇ２及び第３群Ｇ３の正のパワーを強くする必要が生じ、特に第３群Ｇ３の正の第６レンズＬ６におけるコバ厚を確保するために中心厚を更に厚くしなければならず、沈胴時の薄型化に不利になってしまう。
【０３２２】
因みに４群タイプのズームレンズ１１（又は１２、１３）では、条件式（６）に変えて、以下の条件式（６）´を満足する場合、温度湿度変化時における性能劣化が抑制され、薄型化にも一段と有利となる。
（６）´  ｆ１／ｆ４＜０．６
【０３２３】
さらに４群タイプのズームレンズ１１（又は１２、１３）では、第３群Ｇ３及び第４群Ｇ４を樹脂レンズによって構成することにより、硝子レンズにより構成する場合に比べて低コストな撮像装置を提供することができる。
【０３２４】
ここで４群タイプのズームレンズ１１（又は１２、１３）では、第３群Ｇ３及び第４群Ｇ４をそれぞれ負・正のパワーを持つ樹脂レンズによって構成することにより、温度湿度変化時のピント位置変動を第３群Ｇ３及び第４群Ｇ４によりキャンセルできるので、低コストでありながら高性能な撮像装置を提供することができる。
【０３２５】
さらに、４群タイプのズームレンズ１１（又は１２、１３）では、第１群Ｇ１の接合レンズＬ１２が、負の硝子レンズでなる第１レンズＬ１と正の樹脂レンズからなる第２レンズＬ２とによる複合非球面レンズで構成されていることを特徴としている。
【０３２６】
このように４群タイプのズームレンズ１１（又は１２、１３）は、第１群Ｇ１の接合レンズＬ１２を構成している第２レンズＬ２に対して、硝子レンズではなく樹脂レンズを用いるようにしたことにより、当該樹脂レンズでなる第２レンズＬ２の周辺部の厚みを硝子レンズの場合よりも格段に薄くすることができる。
【０３２７】
なお４群タイプのズームレンズ１１（又は１２、１３）では、第４群Ｇ４により像面湾曲の補正効果が上がると共に、当該第４群Ｇ４が固定されていることにより、機械的構造を簡素化することができる。さらに４群タイプのズームレンズ１１（又は１２、１３）では、第４群Ｇ４を追加したことにより、第１群Ｇ３乃至第３群Ｇ３のパワーを強くすることができる分だけ、光学全長を３群タイプよりも短縮化することができる。
【０３２８】
［５−２．デジタルスチルカメラの構成］
図２２に示すように、上述した撮像装置を搭載するデジタルスチルカメラ１００は、撮像装置として撮像機能を担うカメラブロック１５と、当該カメラブロック１５により撮像された画像信号に対してアナログデジタル変換処理等の信号処理を行うカメラ信号処理部２０とを有する。
【０３２９】
またデジタルスチルカメラ１００は、画像信号の記録再生処理等を行う画像処理部３０と、撮影された画像等を表示するＬＣＤ(Liquid Crystal Display)４０と、メモリーカード５１への書込／読出を行うリーダライタ５０とを有する。
【０３３０】
更に加えてデジタルスチルカメラ１００は、当該カメラ全体を制御するＣＰＵ(Central Processing Unit)６０と、ユーザによる操作入力のための入力部７０と、カメラブロック１５内のレンズの駆動を制御するレンズ駆動制御部８０とを有するようになされている。
【０３３１】
カメラブロック１５は、ズームレンズ１（又は２、３、４）や、ズームレンズ１１（又は１２、１３）を含む光学系と、例えばＣＣＤ(Charge Coupled Device)センサやＣＭＯＳ(Complementary Metal Oxide Semiconductor)センサ等でなる撮像素子１６とが組み合わされた構成を有している。
【０３３２】
カメラ信号処理部２０は、撮像素子１６からの出力信号に対するデジタル信号への変換処理、ノイズ除去、画質補正、輝度・色差信号への変換処理等の信号処理を行うようになされている。
【０３３３】
画像処理部３０は、所定の画像データフォーマットに基づく画像信号の圧縮符号化・伸張復号化処理や、解像度等のデータ仕様の変換処理等を行うようになされている。
【０３３４】
メモリーカード５１は、着脱自在な半導体メモリから構成されている。リーダライタ５０は、画像処理部３０によって符号化された画像データをメモリーカード５１に書き込み、またメモリーカード５１に記録された画像データを読み出すようになされている。
【０３３５】
ＣＰＵ６０は、デジタルスチルカメラ１００内の各回路ブロックを統括的に制御するようになされており、入力部７０からの指示入力信号等に基づいて各回路ブロックを制御するようになされている。
【０３３６】
入力部７０は、例えば、シャッタ操作を行うためのシャッタレリーズボタンや、動作モードを選択するための選択スイッチ等により構成され、ユーザによる操作に応じた指示入力信号をＣＰＵ６０へ出力する。
【０３３７】
レンズ駆動制御部８０は、ＣＰＵ６０からの制御信号に基づいて、ズームレンズ１（又は２、３、４）や、ズームレンズ１１（又は１２、１３）内のレンズ群を駆動する図示しないモータ等を制御するようになされている。
【０３３８】
次に、デジタルスチルカメラ１００の動作を簡単に説明する。デジタルスチルカメラ１００では、撮影の待機状態のとき、ＣＰＵ６０による制御の下で、カメラブロック１５により撮像された画像信号をカメラ信号処理部２０を介してＬＣＤ４０へ出力し、カメラスルー画像として表示するようになされている。
【０３３９】
またデジタルスチルカメラ１００は、入力部７０からのズーミングのための指示入力信号が入力されると、ＣＰＵ６０がレンズ駆動制御部８０に制御信号を出力し、レンズ駆動制御部８０の制御に基づいてズームレンズ１（又は２、３、４）や、ズームレンズ１１（又は１２、１３）内の所定のレンズ群を移動する。
【０３４０】
そしてデジタルスチルカメラ１００は、入力部７０からの指示入力信号によりカメラブロック１５の図示しないシャッタが切られると、撮像された画像信号をカメラ信号処理部２０から画像処理部３０へ出力する。
【０３４１】
画像処理部３０では、カメラ信号処理部２０から供給された画像信号に対して所定の圧縮符号化した後、所定のデータフォーマットのデジタルデータに変換し、これをリーダライタ５０を介してメモリーカード５１に書込むようになされている。
【０３４２】
なおフォーカシングは、例えばシャッタレリーズボタンが半押し、或は記録のために全押しされた場合に、ＣＰＵ６０からの制御信号に基づいてレンズ駆動制御部８０がズームレンズ１（又は２、３、４）や、ズームレンズ１１（又は１２、１３）を駆動制御することにより行われる。
【０３４３】
またメモリーカード５１に記録された画像データを再生する場合、ＣＰＵ６０が入力部７０に対する操作に応じてリーダライタ５０によりメモリーカード５１から画像データを読み出し、画像処理部３０により伸張復号化処理した後、これをＬＣＤ４０へ出力する。
【０３４４】
ＬＣＤ４０では、画像処理部３０により伸張復号化処理された画像データに基づいて再生画像を表示するようになされている。
【０３４５】
因みに、この実施の形態では、本発明の撮像装置をデジタルスチルカメラに適用するようにした場合について説明したが、例えば、デジタルビデオカメラといった他の撮像装置等に適用することも可能である。
【０３４６】
＜６．他の実施の形態＞
その他、上述した第１及び第２の実施の形態及び第１数値実施例乃至第７数値実施例において示した各部の具体的な形状や構造並びに数値は、本発明を実施するに際して行う具体化のほんの一例を示したものに過ぎず、これらによって、本発明の技術的範囲が限定的に解釈されることがあってはならないものである。
【０３４７】
なお上述した第２の実施の形態においては、負のパワーを持つ第４群Ｇ４を用いるようにした場合について述べた。しかしながら、本発明はこれに限らず、正のパワーを持つ第４群Ｇ４を用いるようにしても良い。
【０３４８】
また上述した第２の実施の形態においては、第４群Ｇ４と像面ＩＭＧとの間にＩＲカットフィルタＣＦと、像面ＩＭＧを保護するためのシールガラスＳＧとを配置するようにした場合について述べた。しかしながら、本発明はこれに限らず、第４群Ｇ４にシール硝子の役割をも兼ねさせることにより、第４群Ｇ４と像面ＩＭＧとの間にＩＲカットフィルタＣＦだけを配置するようにしても良い。
【０３４９】
さらに上述した実施の形態においては、撮像装置を例えばデジタルスチルカメラ１００に搭載する場合を一例として示したが、撮像装置を搭載する対象としては、これに限られるものではなく、デジタルビデオカメラ、携帯電話機、カメラが搭載されたパーソナルコンピュータ、カメラが組み込まれたＰＤＡ等のその他種々の電子機器に広く適用することができる。
【符号の説明】
【０３５０】
１、２、３、４、１１、１２、１３……ズームレンズ、１５……カメラブロック、１６……撮像素子、３０……画像処理部、４０……ＬＣＤ、５０……リーダライタ、５１……メモリーカード、６０……ＣＰＵ、７０……入力部、８０……レンズ駆動制御部。
【図１】
2011095328.tif 000038
【図２】
2011095328.tif 000039
【図３】
2011095328.tif 000040
【図４】
2011095328.tif 000041
【図５】
2011095328.tif 000042
【図６】
2011095328.tif 000043
【図７】
2011095328.tif 000044
【図８】
2011095328.tif 000045
【図９】
2011095328.tif 000046
【図１０】
2011095328.tif 000047
【図１１】
2011095328.tif 000048
【図１２】
2011095328.tif 000049
【図１３】
2011095328.tif 000050
【図１４】
2011095328.tif 000051
【図１５】
2011095328.tif 000052
【図１６】
2011095328.tif 000053
【図１７】
2011095328.tif 000054
【図１８】
2011095328.tif 000055
【図１９】
2011095328.tif 000056
【図２０】
2011095328.tif 000057
【図２１】
2011095328.tif 000058
【図２２】
2011095328.tif 000059